(57)【要約】  医用液体を容器に送達するための充填アダプタは、遠位端と、近位端と、遠位端と近位端との間に長手方向軸に沿って延在する中央ボアと、を有する本体を有する。中央ボアは、中央部分の直径が遠位端から近位端への方向に傾斜部分において増加するように、本体の近位端に傾斜部分を有する。充填アダプタは、フローコントローラの外面と中央ボアの内面との間にギャップが形成されるように、傾斜部分の遠位端において中央ボア内に配置されたフローコントローラをさらに有する。フローコントローラは、中央ボアを流れる液体が、コアンダ効果の下で、ギャップを通り、中央ボアの傾斜部分に沿って流れるように導くように成形されている。
2018535024.tif 000002
【特許請求の範囲】
【請求項１】
医用液体を容器に送達するための充填アダプタであって、
遠位端と、近位端と、前記遠位端と前記近位端との間に長手方向軸に沿って延在する中央ボアと、を有する本体であって、前記中央ボアは、中央部分の直径が前記遠位端から前記近位端への方向に傾斜部分において増加するように、前記本体の前記近位端に前記傾斜部分を有する、本体と、
フローコントローラの外面と前記中央ボアの内面との間にギャップが形成されるように、前記傾斜部分の遠位端において前記中央ボア内に配置された前記フローコントローラと、
を含み、
前記フローコントローラは、前記中央ボアを流れる液体が、コアンダ効果の下で、前記ギャップを通り、前記中央ボアの前記傾斜部分に沿って流れるように導くように成形されていることを特徴とする充填アダプタ。
【請求項２】
前記フローコントローラの少なくとも一部は、前記中央ボアの前記内面に接続された第１の端部と前記フローコントローラに接続された第２の端部とを有する１つまたは複数のスポークによって前記中央ボアの前記内面に接続されていることを特徴とする請求項１に記載の充填アダプタ。
【請求項３】
前記１つまたは複数のスポークの各々は、前記フローコントローラが前記液体の前記流れと共に前記本体の前記長手方向軸の方向に移動可能であるように弾力的に弾性であることを特徴とする請求項２に記載の充填アダプタ。
【請求項４】
前記フローコントローラは、湾曲した遠位面を有することを特徴とする請求項１に記載の充填アダプタ。
【請求項５】
前記フローコントローラの前記湾曲した遠位面は凸状であることを特徴とする請求項４に記載の充填アダプタ。
【請求項６】
前記湾曲した遠位面は、前記湾曲した遠位面の中央部分から遠位に延在するフローダイバータを有し、前記フローダイバータは、前記中央ボアを流れる液体を前記ギャップに向かって半径方向外向きに導くように成形されていることを特徴とする請求項４に記載の充填アダプタ。
【請求項７】
前記フローコントローラは、湾曲した近位面を有することを特徴とする請求項１に記載の充填アダプタ。
【請求項８】
前記フローコントローラの前記湾曲した近位面は凸状であることを特徴とする請求項７に記載の充填アダプタ。
【請求項９】
前記本体は、前記遠位端においてフランジを有し、前記フランジは、前記本体の外面に対して半径方向外側に延在することを特徴とする請求項１に記載の充填アダプタ。
【請求項１０】
前記本体の少なくとも一部は、前記容器の開放された遠位端内に取り外し可能に受け入れられるように構成されることを特徴とする請求項１に記載の充填アダプタ。
【請求項１１】
内部に医用液体を受け入れるためのシリンジであって、
近位端と、端部開放型シリンジネックを有する遠位端と、長手方向軸に沿って前記近位端と前記遠位端との間に延在する側壁と、を含み、前記シリンジが内部に前記医用液体を受け入れるための内部容積を画定する、シリンジと、
前記端部開放型シリンジネック内に受け入れられる充填アダプタであって、
遠位端と、近位端と、前記遠位端と前記近位端との間に長手方向軸に沿って延在する中央ボアと、を有する本体であって、前記中央ボアは、中央部分の直径が前記遠位端から前記近位端への方向に傾斜部分において増加するように、前記本体の前記近位端に前記傾斜部分を有する、本体と、
フローコントローラの外面と前記中央ボアの内面との間にギャップが形成されるように、前記傾斜部分の遠位端において前記中央ボア内に配置された前記フローコントローラと、
を含む、充填アダプタと、
を含み、
前記フローコントローラは、前記中央ボアを流れる液体が、コアンダ効果の下で、前記ギャップを通り、前記中央ボアの前記傾斜部分に沿って流れるように導くように成形されていることを特徴とする流体移送アセンブリ。
【請求項１２】
前記シリンジネックの外側部分は、前記シリンジネックの円周の少なくとも一部の周りに延在するフランジを有することを特徴とする請求項１１に記載の流体移送アセンブリ。
【請求項１３】
前記フランジの少なくとも一部は、前記シリンジの前記遠位端を取り囲むためのキャップと係合するように構成されることを特徴とする請求項１２に記載の流体移送アセンブリ。
【請求項１４】
前記シリンジは、前記近位端を取り囲む端壁から近位に突出し、かつ流体インジェクタの駆動部材と係合するように構成された駆動部材係合部分を有することを特徴とする請求項１１に記載の流体移送アセンブリ。
【請求項１５】
前記シリンジの前記側壁は可撓性であって、流体インジェクタの駆動部材によって作用された場合にそれ自体の上を転動し、その結果、前記駆動部材が前記近位端から前記遠位端へ前進するにつれて前記側壁の外面が半径方向内側に折り畳まれ、前記側壁の前記外面は、前記駆動部材が前記遠位端から前記近位端に引き込まれるにつれて、半径方向外側に展開されることを特徴とする請求項１１に記載の流体移送アセンブリ。
【請求項１６】
前記フローコントローラの少なくとも一部は、１つまたは複数のスポークによって前記中央ボアの前記内面に接続され、前記１つまたは複数のスポークの各々は、前記中央ボアの前記内面に接続された第１の端部と、前記フローコントローラに接続された第２の端部と、を有することを特徴とする請求項１１に記載の流体移送アセンブリ。
【請求項１７】
前記フローコントローラは、湾曲した遠位面を有することを特徴とする請求項１１に記載の流体移送アセンブリ。
【請求項１８】
内部に医用液体を受け入れるためのシリンジであって、
近位端と、端部開放型シリンジネックを有する遠位端と、長手方向軸に沿って前記近位端と前記遠位端との間に延在する側壁と、を含み、前記シリンジが内部に前記医用液体を受け入れるための内部容積を画定する、シリンジと、
前記シリンジネック内に受け入れられる充填アダプタであって、
遠位端と、近位端と、前記遠位端と前記近位端との間に長手方向軸に沿って延在する中央ボアと、を有する本体であって、前記中央ボアは、中央部分の直径が前記遠位端から前記近位端への方向に傾斜部分において増加するように、前記本体の前記近位端に前記傾斜部分を有する、本体と、
フローコントローラの外面と前記中央ボアの内面との間にギャップが形成されるように、前記傾斜部分の遠位端において前記中央ボア内に配置された前記フローコントローラと、
を含む、充填アダプタと、
前記シリンジネックに固定されたキャップであって、前記キャップが回転ダイヤフラムシリンジの内部容積と液体連通するノズルを有する、キャップと、
を含み、
前記フローコントローラは、前記中央ボアを流れる液体が、コアンダ効果の下で、前記ギャップを通り、前記中央ボアの前記傾斜部分に沿って流れるように導くように成形されていることを特徴とする流体移送アセンブリ。
【請求項１９】
前記シリンジネックの外側部分は、前記シリンジネックの円周の少なくとも一部の周りに延在するフランジを有し、前記キャップは、前記フランジの少なくとも一部に解放可能に係合するように構成された１つまたは複数のタブを有することを特徴とする請求項１８に記載の流体移送アセンブリ。
【請求項２０】
前記１つまたは複数のタブは、前記キャップに接続された第１の端部と、前記第１の端部から近位に延在する第２の端部と、を有し、前記第２の端部は、前記キャップが前記シリンジネック上の前記フランジと接触した場合に、半径方向外側に撓み可能であることを特徴とする請求項１９に記載の流体移送アセンブリ。
【発明の詳細な説明】
【技術分野】
【０００１】
関連出願との相互参照
本出願は、２０１５年１１月２５日に出願された「シリンジ充填アダプタ」という名称の米国仮特許出願第６２／２５９，９０６号に対する優先権を主張し、その開示内容全体が参照により本明細書に組み込まれる。
【０００２】
本開示は、一般的には、流体送達システムで使用するためのシリンジ、充填アダプタ、ならびにシリンジおよび流体移送アセンブリに関し、特に、流体が時間的制約の下で患者に送達される医用流体送達システムで使用するためのシリンジ、充填アダプタ、ならびにシリンジおよび流体移送アセンブリに関する。
【背景技術】
【０００３】
薬物送達などの多くの医療処置では、患者に液体を注入することが望ましい。造影剤（しばしば単に「コントラスト」と呼ばれる）および／または生理食塩水などの多くの種類の液体を、診断および治療処置中に患者に注入することができる。血管造影、コンピュータ断層撮影（CT）、超音波、磁気共鳴撮像（MRI）、核医学、および陽電子放射断層撮影（PET）などのいくつかの医療処置では、造影剤などの液体を圧力下で時間通りに送達する必要がある。これらの用途に適したインジェクタは、通常、比較的大容量のシリンジを使用し、比較的大きな流量を生成することができる。
【０００４】
医療従事者は、ますます困難な時間と物理的制約のもとで働いている。したがって、シリンジまたは他の液体容器を充填し、流体送達システムを可能な限り迅速に接続し分離することが望ましい。しかしながら、大型シリンジに造影剤などの液体を充填することは、通常、時間のかかる処理である。従来のシリンジは、シリンジの内部に液体を充填するために通常使用される遠位開口を有する。この遠位開口のサイズは、充填速度に著しい制約を課す。さらに、従来のシリンジは、通常、完全に引き込まれた位置でプランジャと共に出荷されるので、シリンジを充填するには、最初にプランジャをシリンジの遠位端に移動させてシリンジから空気を排出し、それから液体充填処理を開始する必要がある。診断撮像などの多くの医療プロセスのコストは時間と関係して増加するため、遅延はコストを大幅に増加させる可能性がある。
【０００５】
さらに、多くのこのような流体送達システムでは、別々の流体経路構成要素間に流体接続を形成することが必要である。例えば、インジェクタ駆動式シリンジを可撓性プラスチックチューブに接続し、次いで可撓性プラスチックチューブを患者に挿入されたカテーテルに接続することが必要な場合がある。医療分野で使用される一般的なコネクタは、ルアーコネクタまたはルアーロックである。ルアーコネクタは、雄コネクタもしくは雄部材、および雌コネクタもしくは雌部材を含む。雄部材と雌部材は、通常、雌部材に取り付けられた半径方向内向きに突出したねじを介して接続され、雄型ルアー部材上の半径方向外側に延在する１つまたは複数のフランジと協働して、漏れのない接続を形成する。
【０００６】
医療従事者は、比較的短時間に、ストレス状態および／または緊急状態で、流体送達要素を接続および／または分離する必要がある。したがって、シリンジを充填するように構成され、簡単かつ迅速に接続または分離することができる、耐久性のあるシリンジおよびコネクタのインターフェースを有するシリンジアダプタを開発することが望ましい。
【発明の概要】
【発明が解決しようとする課題】
【０００７】
一般に、本開示は、医用流体送達システムのための流体移送アセンブリに使用されるシリンジおよび充填アダプタに関する。
【０００８】
本開示のいくつかの例によれば、医用流体を容器に送達するための充填アダプタは、遠位端と、近位端と、長手方向軸に沿って近位端と遠位端との間に延在する中央ボアと、を有する本体を有することができる。中央ボアは、中央部分の直径が遠位端から近位端への方向に傾斜部分において増加するように、本体の近位端に傾斜部分を有することができる。充填アダプタは、フローコントローラの外面と中央ボアの内面との間にギャップが形成されるように、傾斜部分の遠位端において中央ボア内に配置されたフローコントローラをさらに有することができる。フローコントローラは、中央ボアを流れる流体が、コアンダ効果の下で、ギャップを通り、中央ボアの傾斜部分に沿って流れるように導くように成形されてもよい。
【０００９】
本開示の他の実施例によれば、フローコントローラの少なくとも一部は、１つまたは複数のスポークによって中央ボアの内面に接続されてもよい。１つまたは複数のスポークの各々は、中央ボアの内面に接続された第１の端部と、フローコントローラに接続された第２の端部と、を有することができる。１つまたは複数のスポークの各々は、フローコントローラが液体の流れと共に本体の長手方向軸の方向に移動可能であるように弾力的に弾性であってもよい。フローコントローラは、湾曲した遠位面を有することができる。フローコントローラの湾曲した遠位面は、凸状であってもよい。湾曲した遠位表面は、湾曲した遠位面の中央部分から遠位方向に延在するフローダイバータを有することができる。フローダイバータは、中央ボアを流れる液体をギャップに向かって半径方向外向きに導くように成形されてもよい。フローコントローラは、湾曲した近位面を有することができる。フローコントローラの湾曲した近位面は凸状であってもよい。本体は、遠位端においてフランジを有することができ、フランジは、本体の外面に対して半径方向外側に延在する。本体の少なくとも一部は、容器の開放された遠位端内に取り外し可能に受け入れられるように構成されてもよい。
【００１０】
本開示の他の実施例によれば、流体移送アセンブリは、内部に医用液体を受け入れるためのシリンジと、充填アダプタと、を有することができる。シリンジは、近位端と、端部開放型シリンジネックを有する遠位端と、長手方向軸に沿って近位端と遠位端との間に延在する側壁と、を有することができる。シリンジは、内部に医用液体を受け入れるための内部容積を画定することができる。充填アダプタは、端部開放型シリンジネック内に受け入れられてもよい。充填アダプタは、遠位端と、近位端と、遠位端と近位端との間に長手方向軸に沿って延在する中央ボアと、を有する本体を有することができる。中央ボアは、中央部分の直径が遠位端から近位端への方向に傾斜部分において増加するように、本体の近位端に傾斜部分を有することができる。充填アダプタは、フローコントローラの外面と中央ボアの内面との間にギャップが形成されるように、傾斜部分の遠位端において中央ボア内に配置されたフローコントローラをさらに有することができる。フローコントローラは、中央ボアを流れる液体が、コアンダ効果の下で、ギャップを通り、中央ボアの傾斜部分に沿って流れるように導くように成形されてもよい。
【００１１】
本開示の他の実施例によれば、シリンジネックの外側部分は、シリンジネックの円周の少なくとも一部の周りに延在するフランジを有することができる。フランジの少なくとも一部は、シリンジの遠位端を取り囲むためのキャップと係合するように構成されてもよい。シリンジは、近位端を取り囲む端壁から近位に突出し、かつ流体インジェクタの駆動部材と係合するように構成された駆動部材係合部分を有することができる。シリンジの側壁は可撓性であって、流体インジェクタの駆動部材によって作用された場合にそれ自体の上を転動することができ、その結果、駆動部材が近位端から遠位端へ前進するにつれて側壁の外面が半径方向内側に折り畳まれ、側壁の外面は、駆動部材が遠位端から近位端に引き込まれるにつれて、半径方向外側に展開される。フローコントローラの少なくとも一部は、１つまたは複数のスポークによって中央ボアの内面に接続されてもよい。１つまたは複数のスポークの各々は、中央ボアの内面に接続された第１の端部と、フローコントローラに接続された第２の端部と、を有することができる。フローコントローラは、湾曲した遠位面を有することができる。
【００１２】
本開示の他の実施例によれば、流体移送アセンブリは、内部に医用液体を受け入れるためのシリンジを有することができ、シリンジは、近位端と、端部開放型シリンジネックを有する遠位端と、長手方向軸に沿って近位端と遠位端との間に延在する側壁と、を有することができる。シリンジは、内部に医用液体を受け入れるための内部容積を画定することができる。流体移送アセンブリは、端部開放型シリンジネック内に受け入れられる充填アダプタをさらに有することができる。流体移送アセンブリは、シリンジネックに固定され、回転ダイヤフラムシリンジの内部容積と流体連通するノズルを有するキャップをさらに有することができる。充填アダプタは、遠位端と、近位端と、遠位端と近位端との間に長手方向軸に沿って延在する中央ボアと、を有する本体を有することができる。中央ボアは、中央部分の直径が遠位端から近位端への方向に傾斜部分において増加するように、本体の近位端に傾斜部分を有することができる。充填アダプタは、フローコントローラの外面と中央ボアの内面との間にギャップが形成されるように、傾斜部分の遠位端において中央ボア内に配置されたフローコントローラをさらに有することができる。フローコントローラは、中央ボアを流れる液体が、コアンダ効果の下で、ギャップを通り、中央ボアの傾斜部分に沿って流れるように導くように成形されてもよい。シリンジネックの外側部分は、シリンジネックの円周の少なくとも一部の周りに延在するフランジを有することができ、キャップは、フランジの少なくとも一部に解放可能に係合するように構成された１つまたは複数のタブを有することができる。１つまたは複数のタブは、キャップに接続された第１の端部と、第１の端部から近位に延在する第２の端部と、を有することができる。第２の端部は、キャップがシリンジネック上のフランジと接触した場合に、半径方向外側に撓み可能であってもよい。
【００１３】
本開示の様々な他の態様は、以下の項の１つまたは複数に列挙されている。
【課題を解決するための手段】
【００１４】
第１項：医用液体を容器に送達するための充填アダプタであって、充填アダプタは、遠位端と、近位端と、遠位端と近位端との間に長手方向軸に沿って延在する中央ボアと、を有する本体であって、中央ボアは、中央部分の直径が遠位端から近位端への方向に傾斜部分において増加するように、本体の近位端に傾斜部分を有する、本体と、フローコントローラの外面と中央ボアの内面との間にギャップが形成されるように、傾斜部分の遠位端において中央ボア内に配置されたフローコントローラと、を含み、フローコントローラは、中央ボアを流れる液体が、コアンダ効果の下で、ギャップを通り、中央ボアの傾斜部分に沿って流れるように導くように成形されている。
【００１５】
第２項：フローコントローラの少なくとも一部は、中央ボアの内面に接続された第１の端部とフローコントローラに接続された第２の端部とを有する１つまたは複数のスポークによって中央ボアの内面に接続されている、第１項に記載の充填アダプタ。
【００１６】
第３項：１つまたは複数のスポークの各々は、フローコントローラが液体の流れと共に本体の長手方向軸の方向に移動可能であるように弾力的に弾性である、第２項に記載の充填アダプタ。
【００１７】
第４項：フローコントローラは、湾曲した遠位面を有する、第１項から第３項のいずれか一項に記載の充填アダプタ。
【００１８】
第５項：フローコントローラの湾曲した遠位面は凸状である、第４項に記載の充填アダプタ。
【００１９】
第６項：湾曲した遠位面は、湾曲した遠位面の中央部分から遠位に延在するフローダイバータを有し、フローダイバータは、中央ボアを流れる液体をギャップに向かって半径方向外向きに導くように成形されている、第４項に記載の充填アダプタ。
【００２０】
第７項：フローコントローラは、湾曲した近位面を有する、第１項から第６項のいずれか一項に記載の充填アダプタ。
【００２１】
第８項：フローコントローラの湾曲した近位面は凸状である、第７項に記載の充填アダプタ。
【００２２】
第９項：本体は、遠位端においてフランジを有し、フランジは、本体の外面に対して半径方向外側に延在する、第１項から第８項のいずれか一項に記載の充填アダプタ。
【００２３】
第１０項：本体の少なくとも一部は、容器の開放された遠位端内に取り外し可能に受け入れられるように構成される、第１項から第９項のいずれか一項に記載の充填アダプタ。
【００２４】
第１１項：流体移送アセンブリであって、内部に医用液体を受け入れるためのシリンジであって、回転ダイヤフラムシリンジは、近位端と、端部開放型シリンジネックを有する遠位端と、長手方向軸に沿って近位端と遠位端との間に延在する側壁と、を含み、内部に医用液体を受け入れるための内部容積を画定するシリンジと、端部開放型シリンジネック内に受け入れられる充填アダプタであって、遠位端と、近位端と、遠位端と近位端との間に長手方向軸に沿って延在する中央ボアと、を有する本体であって、中央ボアは、中央部分の直径が遠位端から近位端への方向に傾斜部分において増加するように、本体の近位端に傾斜部分を有する、本体と、フローコントローラの外面と中央ボアの内面との間にギャップが形成されるように、傾斜部分の遠位端において中央ボア内に配置されたフローコントローラと、を含み、フローコントローラは、中央ボアを流れる液体が、コアンダ効果の下で、ギャップを通り、中央ボアの傾斜部分に沿って流れるように導くように成形されている。
【００２５】
第１２項：シリンジネックの外側部分は、シリンジネックの円周の少なくとも一部の周囲に延在するフランジを有する、第１１項に記載の流体移送アセンブリ。
【００２６】
第１３項：フランジの少なくとも一部は、シリンジの遠位端を取り囲むためのキャップと係合するように構成される、第１１項または第１２項に記載の流体移送アセンブリ。
【００２７】
第１４項：シリンジは、近位端を取り囲む端壁から近位に突出し、かつ液体インジェクタの駆動部材と係合するように構成された駆動部材係合部分を有する、第１１項から第１３項のいずれか一項に記載の流体移送アセンブリ。
【００２８】
第１５項：シリンジの側壁は可撓性であって、液体インジェクタの駆動部材によって作用された場合にそれ自体の上を転動し、その結果、駆動部材が近位端から遠位端へ前進するにつれて側壁の外面が半径方向内側に折り畳まれ、側壁の外面は、駆動部材が遠位端から近位端に引き込まれるにつれて、半径方向外側に展開される、第１１項から第１４項のいずれか一項に記載の流体移送アセンブリ。
【００２９】
第１６項：フローコントローラの少なくとも一部は、１つまたは複数のスポークによって中央ボアの内面に接続され、１つまたは複数のスポークの各々は、中央ボアの内面に接続された第１の端部と、フローコントローラに接続された第２の端部と、を有する、第１１項から第１５項のいずれか一項に記載の流体移送アセンブリ。
【００３０】
第１７項：フローコントローラは、湾曲した遠位面を有する、第１１項から第１６項のいずれか一項に記載の流体移送アセンブリ。
【００３１】
第１８項：流体移送アセンブリであって、内部に医用液体を受け入れるためのシリンジであって、回転ダイヤフラムシリンジは、近位端と、端部開放型シリンジネックを有する遠位端と、長手方向軸に沿って近位端と遠位端との間に延在する側壁と、を含み、内部に医用液体を受け入れるための内部容積を画定する、シリンジと、端部開放型シリンジネック内に受け入れられる充填アダプタであって、遠位端と、近位端と、遠位端と近位端との間に長手方向軸に沿って延在する中央ボアと、を有する本体であって、中央ボアは、中央部分の直径が遠位端から近位端への方向に傾斜部分において増加するように、本体の近位端に傾斜部分を有する、本体と、フローコントローラの外面と中央ボアの内面との間にギャップが形成されるように、傾斜部分の遠位端において中央ボア内に配置されたフローコントローラと、を含む充填アダプタと、シリンジネックに固定され、回転ダイヤフラムシリンジの内部容積と流体連通するノズルを有するキャップと、を含み、フローコントローラは、中央ボアを流れる液体が、コアンダ効果の下で、ギャップを通り、中央ボアの傾斜部分に沿って流れるように導くように成形されている。
【００３２】
第１９項：シリンジネックの外側部分は、シリンジネックの円周の少なくとも一部の周りに延在するフランジを有し、キャップは、フランジの少なくとも一部に解放可能に係合するように構成された１つまたは複数のタブを有する、第１８項に記載の流体移送アセンブリ。
【００３３】
第２０項：１つまたは複数のタブは、キャップに接続された第１の端部と、第１の端部から近位に延在する第２の端部と、を有し、第２の端部は、キャップがシリンジネック上のフランジと接触した場合に、半径方向外側に撓み可能である、第１９項に記載の流体移送アセンブリ。
【００３４】
医用流体送達システムで使用するためのシリンジ、充填アダプタ、ならびにシリンジおよび流体移送アセンブリのこれらのおよび他の特徴および特性、ならびに部品の組み合わせおよび製造経済は、添付の図面を参照して以下の説明および添付の特許請求の範囲を考慮することにより、より明らかになるであろう。これらの図面はすべて、本明細書の一部を形成し、同様の符号は様々な図面における対応する部分を示す。しかしながら、図面は、例示および説明の目的のみのものであり、本開示の限定の定義を意図するものではないことを明確に理解されたい。
【図面の簡単な説明】
【００３５】
【図１】本開示の一実施例によるシリンジおよび流体移送アセンブリの分解側面図である。
【図２Ａ】本開示の一実施例による充填アダプタと共に使用するためのシリンジの側断面図である。
【図２Ｂ】本開示の別の実施例による充填アダプタと共に使用するためのシリンジの斜視図である。
【図３Ａ】図１のシリンジおよび流体移送アセンブリの側面図である。
【図３Ｂ】図３Ａの縦断面図である。
【図４】第１の係合位置にある図３Ａのシリンジおよび流体移送アセンブリの側面図である。
【図５】第２の係合位置にある図３Ａのシリンジおよび流体移送アセンブリの側面図である。
【図６】図５の縦断面図である。
【図７】シリンジが流体で充填され、穿刺装置が充填アダプタから分離された後の、図１のシリンジおよび流体移送アセンブリの側面図である。
【図８】図７の縦断面図である。
【図９】図７のシリンジの側面図である。
【図１０】図９の縦断面図である。
【図１１】図７の充填アダプタの詳細な断面図である。
【図１２】本開示の別の例によるシリンジおよび流体移送アセンブリの斜視図である。
【図１３】図１２の充填アダプタの接続インターフェースの詳細な側断面図である。
【図１４】本開示の別の実施例による流体移送アセンブリの詳細な側断面図である。
【図１５Ａ】本開示の別の実施例による流体移送アセンブリの斜視図である。
【図１５Ｂ】図１５Ａの流体移送アセンブリの別の斜視図である。
【図１６】本開示の別の実施例による流体移送アセンブリの分解斜視図である。
【図１７Ａ】本開示の別の実施例による流体移送アセンブリの斜視図である。
【図１７Ｂ】図１７Ａの流体移送アセンブリの詳細な側断面図である。
【図１８Ａ】本開示の別の実施例による流体移送アセンブリの斜視図である。
【図１８Ｂ】図１８Ａの流体移送アセンブリの別の斜視図である。
【図１８Ｃ】図１８Ａの流体移送アセンブリの詳細な側断面図である。
【図１８Ｄ】図１８Ａのスパイクアダプタの詳細な側断面図である。
【図１８Ｅ】図１８Ａの充填アダプタの接続インターフェースの詳細な側断面図である。
【図１９Ａ】本開示の別の実施例による流体移送アセンブリの斜視図である。
【図１９Ｂ】図１９Ａの流体移送アセンブリの別の斜視図である。
【図２０】本開示の別の実施例による流体移送アセンブリの斜視図である。
【図２１Ａ】別の態様による充填アダプタの接続インターフェースの詳細な側断面図である。
【図２１Ｂ】図２１Ａの接続インターフェースの詳細な斜視断面図である。
【図２１Ｃ】図２１Ａの充填アダプタによるシリンジの斜視図である。
【図２１Ｄ】図２１Ａの充填アダプタのリブ付きコネクタの斜視図である。
【図２１Ｅ】図２１Ａの充填アダプタのフローコントローラの斜視図である。
【図２１Ｆ】図２１Ａの充填アダプタの別の実施例によるリブ付きコネクタの斜視図である。
【図２２Ａ】別の態様による流体移送アセンブリの斜視図である。
【図２２Ｂ】図２２Ａの流体移送アセンブリの詳細な側断面図である。
【図２２Ｃ】図２２Ａの充填アダプタの接続インターフェースの詳細な側断面図である。
【図２２Ｄ】図２２Ａの流体移送アセンブリのバルブハウジングの分解図である。
【図２３Ａ】本開示の別の実施例による流体移送アセンブリの斜視図である。
【図２３Ｂ】図２３Ａの充填アダプタの接続インターフェースの詳細な側断面図である。
【図２３Ｃ】図２３Ａの流体移送アセンブリのスパイクアダプタの斜視図である。
【図２３Ｄ】図２３Ａの充填アダプタの一態様によるフローコントローラの斜視図である。
【図２４Ａ】図２３Ａの充填アダプタの別の実施例による接続インターフェースの詳細な側断面図である。
【図２４Ｂ】図３９Ａの接続インターフェースのフローコントローラの斜視図である。
【図２５Ａ】図２３Ａの充填アダプタの別の実施例による接続インターフェースの詳細な側断面図である。
【図２５Ｂ】図２５Ａの接続インターフェースのフローコントローラの斜視図である。
【図２６Ａ】図２３Ａの充填アダプタの別の態様による接続インターフェースの詳細な側断面図である。
【図２６Ｂ】図２６Ａの接続インターフェースのフローコントローラの斜視図である。
【図２７Ａ】本開示の別の実施例による流体移送アセンブリの斜視図である。
【図２７Ｂ】図２７Ａの充填アダプタの接続インターフェースの詳細な側断面図である。
【図２７Ｃ】図２７Ａの流体移送アセンブリの別の斜視図である。
【図２７Ｄ】図２７Ｃの充填アダプタの接続インターフェースの詳細な側断面図である。
【図２７Ｅ】図２７Ａの流体移送アセンブリのスプールバルブの斜視図である。
【図２７Ｆ】図２７Ｅのスプールバルブの分解斜視図である。
【図２７Ｇ】図２７Ｅのスプールバルブの詳細な側断面図である。
【図２８Ａ】本開示の別の実施例による流体移送アセンブリの斜視図である。
【図２８Ｂ】図２８Ａの充填アダプタの接続インターフェースの詳細な側断面図である。
【図２９】本開示の別の実施例によるシリンジアセンブリの分解斜視図である。
【図３０Ａ】本開示の別の実施例による充填アダプタを有するシリンジの斜視図である。
【図３０Ｂ】図３０Ａのシリンジおよび充填アダプタの詳細な上面斜視図である。
【図３０Ｃ】図３０Ａのシリンジおよび充填アダプタの側断面図である。
【図３０Ｄ】シリンジから取り外された図３０Ａに示す充填アダプタの上面斜視図である。
【図３１Ａ】本開示の別の実施例によるシリンジおよび充填アダプタの側断面図である。
【図３１Ｂ】シリンジから取り外された図３１Ａに示す充填アダプタの上面斜視図である。
【図３２Ａ】本開示の別の実施例によるシリンジ、充填アダプタ、およびキャップの分解斜視図である。
【図３２Ｂ】図３２Ａのシリンジ、充填アダプタ、およびキャップの組み立てられた形態の斜視図である。
【図３２Ｃ】図３２Ａのシリンジ、充填アダプタ、およびキャップの側断面図である。
【図３２Ｄ】図３２Ａのシリンジの斜視図である。
【図３３Ａ】本開示の別の実施例によるシリンジ、充填アダプタ、およびキャップの分解斜視図である。
【図３３Ｂ】図３３Ａのシリンジの斜視図である。
【図３３Ｃ】図３３Ａのキャップの斜視図である。
【図３４Ａ】本開示の別の実施例によるシリンジおよび充填アダプタの側断面図であり、閉位置にあるフローコントローラを示している。
【図３４Ｂ】図３４Ａのシリンジおよび充填アダプタの側断面図であり、開位置にあるフローコントローラを示している。
【発明を実施するための形態】
【００３６】
図面は、本開示の非限定的な実施例を一般的に示す。説明は様々な実施例を提示するが、いかなる形であれ、本開示を限定するものとして解釈するべきではない。さらに、本開示の実施例の改変、概念、および応用は、限定されるものではないが、本明細書で提供される図面および説明に包含されると、当業者によって解釈されるべきである。そのような改変、変形、等価物、および代替物のいずれかおよびすべては、本開示の趣旨および範囲内に入ることが意図される。
【００３７】
本明細書および特許請求の範囲で使用されるように、単数形（「a」、「an」および「the」）は、文脈上特に明示されない限り、複数の指示対象を含む。
【００３８】
以下の説明の目的のために、「上」、「下」、「右」、「左」、「垂直」、「水平」、「上部」、「底部」、「横方向」、「縦方向」という用語、およびその派生語は、図面に示されているように、構成要素に関係するものとする。シリンジに関して使用される場合、「近位」という用語は、シリンジがインジェクタに接続するように配向されている場合に、インジェクタに最も近いシリンジの部分を指す。「遠位」という用語は、シリンジがインジェクタに接続するように配向されている場合に、インジェクタから最も離れたシリンジの部分を指す。「半径方向」という用語は、近位端と遠位端との間に延在するシリンジの長手方向軸に垂直な断面内の方向を指す。「円周方向」という用語は、シリンジの側壁の内面または外面の周りの方向を指す。「軸方向」という用語は、近位端と遠位端との間に延在するシリンジの長手方向軸に沿った方向を指す。「可撓性」という用語は、シリンジに関連して使用される場合、シリンジの側壁などのシリンジの少なくとも一部が、それが延在する方向を変えるように屈曲するまたは屈曲されることが可能であることを意味する。「転がる」および「それ自体の上で回転する」という用語は、流体インジェクタの駆動部材によって付勢された場合に、シリンジの側壁の近位部分などのシリンジの第１の部分が、シリンジの側壁の遠位部分などの第２の部分に対して約１８０°屈曲する能力を指す。
【００３９】
他に示されない限り、本明細書に開示するすべての範囲または比率は、その中に包含される任意のおよびすべての部分範囲または部分比率を包含するものと理解するべきである。例えば、記載された「１から１０」の範囲または比率は、最小値１と最大値１０との間の（およびそれを含む）すべての部分範囲、すなわち、限定はしないが、１から６．１、３．５から７．８、および５．５から１０などの、１以上の最小値で始まり、１０以下の最大値で終わるすべての部分範囲または部分比率を含むとみなすべきである。
【００４０】
添付の図面に示され、以下の明細書に記載される特定の装置およびプロセスは、本開示の単なる例示的な態様であることを理解されたい。したがって、本明細書に開示する態様に関連する特定の寸法および他の物理的特性は、限定的であるとみなすべきではない。
【００４１】
限定はしないが、発行された特許および特許出願などのすべての文書は、本明細書で言及され、他に示されない限り、その全体が「参照により組み込まれる」とみなすべきである。
【００４２】
いくつかの図を通して同様の符号が同様の部分を示す図面を参照して、医用流体送達システムで使用するためのシリンジ、充填アダプタ、ならびにシリンジおよび流体移送アセンブリが本明細書で詳細に説明される。本開示はまた、本明細書で開示されたシリンジならびに他の流体経路要素または流体ポンピングシステムと共に使用するのに適した他のコネクタを提供する。一般に、本開示のコネクタは、低圧および高圧の流体注入システムにおける使用に適している。
【００４３】
図１および図３Ａ〜図１１を参照すると、医用液体を送達するための流体移送アセンブリ１０が一実施例に従って示されている。流体移送アセンブリ１０は、第２の液体容器３６から第１の液体容器１２への液体の移送を容易にするように構成される。いくつかの例では、第１の液体容器１２および／または第２の液体容器３６は、シリンジ、バイアル、ボトル、バッグ、または内部にある量の液体を受け入れるように構成された他の格納構造であってもよい。いくつかの例では、第１の液体容器１２はシリンジであってもよく、第２の液体容器３６は、ボトルまたはバッグなどのバルク液体貯蔵容器であってもよい。
【００４４】
引き続き図１を参照すると、流体移送アセンブリ１０は、第２の液体容器３６から第１の液体容器１２へなどの２つの液体容器の間の液体の移送を容易にするように構成された充填アダプタ３２をさらに含む。充填アダプタ３２は、第１の液体容器１２および／または第２の液体容器３６に取り外し可能に接続可能であってもよい。いくつかの例では、充填アダプタ３２は、第１の液体容器１２および第２の液体容器３６の一方に取り外し不能に接続され、第１の液体容器１２および第２の液体容器３６の他方に取り外し可能に接続可能である。充填アダプタ３２は、一体の単一ピース構造を有してもよいし、または取り外し可能または取り外し不能に共に結合される２つ以上の構成要素から形成されてもよい。
【００４５】
充填アダプタ３２は、第１の状態と第２の状態との間で動作するように構成することができる。第１の状態では、第２の液体容器３６から第１の液体容器１２へのように、液体が２つの液体容器間で移送されないように、液体の流れを妨げることができる。第２の状態では、液体が、第２の液体容器３６から充填アダプタ３２を通って第１の液体容器１２へのように、２つの液体容器の間を流れることができる。本明細書で説明するように、充填アダプタ３２は、第１の状態と第２の状態との間で動作に影響を及ぼすように、第１の位置と第２の位置との間で移動可能である。
【００４６】
図１および図３Ａ〜図３Ｂを参照すると、流体移送アセンブリ１０は、第１の液体容器１２、充填アダプタ３２、および第２の液体容器３６のうちの少なくとも２つに取り外し可能に接続可能なロック機構１０８を有することができる。ロック機構１０８は、第２の液体容器３６から第１の液体容器１２へなどの２つの容器の間の液体の流れを防止するために、第１の位置と第２の位置との間の流体移送アセンブリ１０の構成要素の移動を防止するように構成されてもよい。ロック機構１０８は、流体移送アセンブリ１０から取り外し可能なブラケットであってもよく、または第１の位置から第２の位置へ移動可能であってもよい。第１の位置では、ロック機構１０８は、充填アダプタ３２の第１の状態から第２の状態への作動を防止することができ、それによって液体が第２の液体容器３６から第１の液体容器１２へ流れるのを防止する。第２の位置では、ロック機構１０８は、充填アダプタ３２を第２の状態で作動させることができ、それによって液体が第２の液体容器３６から第１の液体容器１２に流れることを可能にする。
【００４７】
図２Ａを参照すると、第１の液体容器１２の非限定的な例が、可撓性側壁を有する回転ダイヤフラムシリンジ１２aとして示されている。回転ダイヤフラムシリンジ１２aは、図３Ａ〜図３３Ｃを参照して説明される本開示のいずれの実施例においても、第１の液体容器として使用することができる。回転ダイヤフラムシリンジ１２aは、CT、MRI、PETなどの処置で使用するように適合され、液体の粘度および所望の注入速度に応じて、例えば約１０〜３００psi、例えば２００〜３００psiの典型的な動作圧力で動作可能である。いくつかの例では、回転ダイヤフラムシリンジ１２aは、血管造影に使用されるような、約１２００psiのオーダーの圧力を必要とする処置に使用するように構成することができる。いくつかの態様では、回転ダイヤフラムシリンジ１２aは、国際特許出願第PCT／US２０１５／０２７５８２号および／または国際特許出願第PCT／US２０１６／０２８８２４号に開示されているシリンジであってもよく、その開示は参照により本明細書に組み込まれる。
【００４８】
引き続き図２Ａを参照すると、回転ダイヤフラムシリンジ１２aは、前端または遠位端１８、後端または近位端１６、およびそれらの間を長手方向軸Ｌに沿って延在する可撓性側壁２０を含む中空体を一般的に含む。使用時には、近位端１６は、側壁２０が圧力ジャケットの内面によって取り囲まれるように、液体インジェクタに取り付けられた圧力ジャケットの貫通孔に挿入するように構成される。回転ダイヤフラムシリンジ１２aの遠位端１８の少なくとも一部は、圧力ジャケットの遠位端１８から露出していてもよい。いくつかの例では、回転ダイヤフラムシリンジ１２aは、ブロー成形技術を使用して形成されてもよい。他の例では、回転ダイヤフラムシリンジ１２aは射出成形されてもよい。
【００４９】
引き続き図２Ａを参照すると、シリンジ１２aの近位端１６は閉じた端壁３０に接続し、回転ダイヤフラムシリンジ１２aの遠位端１８は閉じた端壁３０に対向するシリンジネック２２を画定する。遠位端１８は、側壁２０からシリンジネック２２まで徐々に狭まる円錐台形状を有することができる。シリンジネック２２は、液体がシリンジ内部に導入されおよび／またはシリンジ内部から送達され得るように開放されている。閉じた端壁３０は、液体インジェクタ（図示せず）の駆動部材と直接的または間接的に接合するような形状にすることができる。例えば、閉じた端壁３０は、閉じた端壁３０の形状に実質的に一致するように成形された同様の形状の駆動部材と直接接合するための受容端ポケットを画定することができる。側壁２０および／または端壁３０は、均一または不均一な厚さを有することができる。例えば、側壁２０は、端壁３０と比較して遠位端１８で厚さが増加してもよい。
【００５０】
回転ダイヤフラムシリンジ１２aの側壁２０は、駆動部材の作用の下でそれ自体の上に転がるように構成された、軟質の、柔軟な、または可撓性であるが、自立体を画定する。特に、回転ダイヤフラムシリンジ１２aの側壁２０は、駆動部材が遠位方向に移動すると、その外面が半径方向内向きに折り畳まれて反転するように回転し、駆動部材が近位方向に引っ込むと、その外面が半径方向外向きに反対方向に広がって展開するように回転するように構成される。
【００５１】
回転ダイヤフラムシリンジ１２aは、限定はしないが、例えば、ポリプロピレンランダムコポリマー、ポリプロピレン衝撃コポリマー、ポリプロピレンホモポリマー、ポリプロピレン、ポリエチレンテレフタレート、POM、ABS、HPDE、ナイロン、環状オレフィンコポリマー、多層ポリプロピレン、ポリカーボネート、エチレンビニルアセテート、ポリエチレンなどの、任意の適切な医療グレードのプラスチックまたはポリマー材料、望ましくは透明または実質的に半透明のプラスチック材料で作られてもよい。回転ダイヤフラムシリンジ１２aの材料は、望ましくは、必要とされる引っ張り応力および平面応力要件、水蒸気透過性、および化学的／生物学的適合性を満たすように選択される。
【００５２】
シリンジネック２２などの回転ダイヤフラムシリンジ１２aの遠位端１８は、対応するキャップ部材、例えば本明細書に記載の充填アダプタ３２の少なくとも一部に接続するための遠位端１８において接続部材１３０aを有することができる。いくつかの態様では、接続部材１３０aは、充填アダプタ３２上の対応するねじに係合するための１つまたは複数のねじを有するねじ付きインターフェースである。特定の態様では、接続部材１３０aは、ルアータイプの接続によって充填アダプタ３２と接続するように構成することができる。他の態様では、接続部材１３０aは、充填アダプタ３２上の対応する溝またはリップと相互作用し、充填アダプタ３２と共に回転ダイヤフラムシリンジ１２aを解放可能または解放不能に保持する１つまたは複数のリップまたは溝を有することができる。充填アダプタ３２とシリンジ１２aとの間の接続は、充填アダプタ３２とシリンジ１２aとの間の接続界面における液体漏れを防止するために、Ｏリング封止などの少なくとも１つの封止を有することができる。シリンジネック２２はまた、患者に接続することができる液体経路セット（図示せず）と流体接続するように構成することができる。いくつかの例では、液体経路セットは、第１の液体容器１２から患者または液体を受け取るための容器に液体を送達するように構成されたチューブの形態であってもよい。いくつかの例では、液体経路セットは、第１の液体容器１２のシリンジネック２２と取り外し可能に接続可能である。
【００５３】
端壁３０は、実質的にドーム形状の構造を有する中央部分１３２と、中央部分１３２のほぼ中間点からなど、中央部分１３２から近位に延在する駆動部材係合部分１３４と、を有することができる。いくつかの態様では、中央部分１３２の最遠位端は実質的に平坦であってもよい。駆動部材係合部分１３４は、液体インジェクタの駆動部材上の係合機構と係合するように構成される。回転ダイヤフラムシリンジ１２aの近位端１６は、中央部分１３２の近位面に沿って駆動部材係合部分１３４から半径方向外側に突出する１つまたは複数のリブ１３６を有することができる。特定の実施形態では、回転ダイヤフラムシリンジ１２aは、最初は、インジェクタと係合したときに圧縮され巻かれた構成であってもよく、駆動部材が駆動部材係合部分１３４と係合して端壁３０を引き込み、側壁２０を展開し、シリンジ内部を充填することができる。
【００５４】
図２Ｂを参照すると、第１の液体容器１２の非限定的な例が、実質的に剛性の側壁を有するシリンジ１２bとして示されている。シリンジ１２bは、図３Ａ〜図３３Ｃを参照して説明される本開示のいずれの実施例においても、第１の液体容器として使用することができる。シリンジ１２bは、CT、MRI、PETなどの処置で使用するように適合され、液体の粘度および所望の注入速度に応じて、例えば約１０〜３００psi、例えば２００〜３００psiの典型的な動作圧力で動作可能である。いくつかの例では、シリンジ１２bは、血管造影に使用されるような、約１２００psiのオーダーの圧力を必要とする処置に使用するように構成することができる。いくつかの態様では、シリンジ１２bは、米国特許第９，１７３，９９５号に開示されているシリンジであってもよく、その開示は、参照によりその全体が本明細書に組み込まれる。
【００５５】
シリンジ１２bは、一般的に、ガラス、金属、適切な医学的グレードのプラスチック、またはこれらの組み合わせから形成された円筒状シリンジバレル１４を有する。バレル１４は、近位端１６および遠位端１８を有し、その間に長手方向軸Ｌに沿って延在する側壁２０を有する。シリンジネック２２は、バレル１４の遠位端１８から延在する。バレル１４は、外面２４と、内部に液体を受け入れるように構成された内部容積を画定する内面２６と、を有する。バレル１４の近位端１６は、バレル１４を通って摺動可能なプランジャ３１で封止されてもよい。プランジャ３１は、プランジャ３１が前進または後退する際に、バレル１４の側壁２０の内面２６に対して液密封止を形成する。プランジャ３１は、液体インジェクタ（図示せず）の駆動部材と係合するように構成された剛性内側要素を有することができる。プランジャ３１は、剛性内側要素の少なくとも一部の上に配置されたエラストマーカバーをさらに含むことができる。エラストマーカバーは、バレル１４の内面２６と係合し、バレル１４の側壁２０の内面に対して液密封止を提供するように構成される。
【００５６】
引き続き図２Ｂを参照すると、シリンジ１２bの近位端１６は、インジェクタのシリンジポートに取り外し可能に挿入されるように寸法決めされ適合される。いくつかの例では、シリンジ１２bの近位端１６は、インジェクタのシリンジポートに取り外し可能に挿入されるように構成された挿入部を画定し、シリンジ１２bの残りの部分はシリンジポートの外側に留まる。
【００５７】
特定の例では、シリンジ１２bの近位端１６は、シリンジ１２bをシリンジポートに解放可能に保持するために、インジェクタのシリンジポート内の対応するロック機構とのロック係合を形成するように適合された１つまたは複数のシリンジ保持部材３３を含む。１つまたは複数のシリンジ保持部材３３を有するシリンジ１２bとインジェクタのロック機構との組み合わせは、インジェクタとの間でシリンジ１２bをローディングおよびアンローディングするための接続界面を画定する。いくつかの例では、１つまたは複数のシリンジ保持部材３３の少なくとも一部は、ロック機構の少なくとも一部と協働して、シリンジ１２bをシリンジポートに対して自己配向させることができ、そのようにして、シリンジ１２bをシリンジポートに開放可能に挿入しロックすることができる。１つまたは複数のシリンジ保持部材３３は、長手方向軸Ｌに対してシリンジバレル１４の外面２４から半径方向外側に突出する１つまたは複数のラグ３４として形成されてもよい。いくつかの例では、複数のラグ３４は、バレル１４の円周の周りに半径方向に分離されてもよい。そのような例では、ラグ３４は、バレル１４の外面２４の一部によって互いに分離されている。１つまたは複数のラグ３４の各々は、ほぼ三角形、長方形、多角形、または矢頭形状を有してもよい。
【００５８】
図３Ａを参照すると、ロック機構１０８は、第１の液体容器１２に接続するように適合された第１の端部１１２にマウント１１０を有し、かつ、第２の液体容器３６に接続するように適合された第２の端部１１６にマウント１１４を有する「Ｕ」字形のブラケットであってもよい。第１の端部１１２と第２の端部１１６との間の長さとして定義されるロック機構１０８の中間部分１１８の長さは、充填アダプタ３２の長手方向の長さよりも長いので、ロック機構１０８が第１の液体容器１２および第２の液体容器３６の両方に固定されている場合には、充填アダプタ３２は第１の係合位置にある（すなわち、第１の液体容器１２のみに係合し、第２の液体容器３６とは係合していない）。
【００５９】
流体移送アセンブリ１０は、充填アダプタ３２を包囲して保護するために、ゴムなどの任意の耐久性のある可撓性材料から作られた可撓性シュラウド１２０をさらに含むことができる。可撓性シュラウド１２０は、充填アダプタ３２の第１の位置から第２の位置への移動を受け入れるために折り畳み可能または圧縮可能であってもよい。
【００６０】
図３Ｂを参照すると、第２の液体容器３６は、ガラス、金属、適切な医療グレードのプラスチック、またはこれらの組み合わせから形成された円筒形状バレル３８を有してもよく、あるいは生理食塩水バッグなどのプラスチックバッグであってもよい。バレル３８は、近位端４０および遠位端４２を有し、その間に長手方向軸４５に沿って側壁４４が延在する。ネック４６などの液体送達部が、バレル３８の遠位端４２から延在する。バレル３８は、外面４８と、内部に液体Ｆを受け入れるように構成された内部容積５２を画定する内面５０と、を有する。第２の液体容器３６の遠位端４２は、充填アダプタ３２と接続するための接続インターフェースを含むことができる。いくつかの例では、遠位端４２は、穿刺可能な隔壁５４によって囲まれてもよい。充填アダプタ３２は、第２の液体容器３６の内部容積５２を第１の液体容器１２の内部容積２８と接続するために隔壁５４を穿刺して、第２の液体容器３６から第１の液体容器１２への液体Ｆの移動を容易にするように構成することができる。
【００６１】
引き続き図３Ｂを参照すると、充填アダプタ３２は、ガラス、金属、適切な医療グレードのプラスチック、またはこれらの組み合わせから形成されたほぼ円筒形の本体５６を有する。本体５６は、長手方向軸５８と、遠位端６０と、近位端６２と、を有する。遠位端６０は、第２の液体容器３６と係合するように構成され、第２の液体容器３６と充填アダプタ３２との間の流体接続を確立する。近位端６２は、第１の液体容器１２と係合するように構成され、第１の液体容器１２と充填アダプタ３２との間の流体接続を確立する。いくつかの例では、本体５６の近位端６２は、シリンジネック２２に解放可能に接続するように構成される。
【００６２】
充填アダプタ３２の本体５６は、望ましくは、液体がその中を通過できるように中空である。いくつかの例では、本体５６は、長手方向軸５８に沿って遠位端６０と近位端６２との間に延在する内側側壁６４および外側側壁６６を有する。いくつかの例では、内側側壁６４は、シリンジネック２２の内面２６と接合するように構成され、外側側壁６６は、シリンジネック２２の外面２４と接合するように構成される。溝３５は、シリンジネック２２の外面２４に位置するタブ付き部分３４に係合するように構成され、外側側壁６６に形成される。
【００６３】
図６を特に参照すると、第１の液体容器１２の遠位端１８は、第１の液体容器１２を充填アダプタ３２に接続するための接続インターフェースを含むことができる。いくつかの例では、接続インターフェースは、充填アダプタ３２を第１の液体容器１２に固定するために充填アダプタ３２の溝３５と係合する、シリンジネック２２上のバレル１４の外面２４に配置されたタブ付き部分３４を含むことができる。係合すると、充填アダプタ３２は、第２の液体容器３６から第１の液体容器１２への液体Ｆの移送を容易にする。他の例では、第１の液体容器１２と充填アダプタ３２との間の接続インターフェースは、ねじ接続、溶接接続、成形接続、締まり嵌め接続、スナップ嵌合接続、または他の機械的接続であってもよい。
【００６４】
図８を特に参照すると、本体５６は、第２の液体容器３６の穿刺可能な隔壁５４を貫通するように構成された穿刺装置６８を取り外し可能に受け入れる。穿刺装置６８は、ほぼ円筒形の本体７０を有し、長手方向軸７１と、遠位端７４に配置された穿刺点７２と、近位端７８に配置された、長手方向軸７１から半径方向に広がるフレア状基部７６と、を含む。いくつかの例では、フレア状基部７６は、コアンダ効果により流体の流れを促進するように成形されている。図６を参照すると、充填アダプタ３２の本体５６内に受け入れられたときに、充填アダプタ３２の本体５６が穿刺装置６８の本体７０を取り囲み、穿刺点７２が遠位端６０を越えて延在することができ、フレア状基部７６が近位端６２に向かってシリンジネック２２内に延在する。穿刺装置６８の長手方向軸７１は、本体５６の長手方向軸５８と同軸であってもよい。穿刺装置６８は、第２の環状導管８２によって囲まれた第１の導管８０を有する。第１の導管８０は、充填処置中に第１の液体容器１２の内部から空気を移動させるように構成され、第２の環状導管８２は第２の液体容器３６から第１の液体容器１２に液体Ｆを移送するように構成される。いくつかの例では、第１の導管８０の断面積は、第２の環状導管８２の断面積より８％〜４０％小さくてもよい。第１の導管８０および第２の環状導管８２は共に、穿刺装置６８の長手方向軸７１に沿って延在する。第１の導管８０および第２の環状導管８２は、等しい長さまたは異なる長さであってもよい。第１の導管８０は、第２の環状導管８２と同心であってもよい。いくつかの例では、第１の導管８０および第２の環状導管８２は、並んで配置され互いに平行であってもよい。第１の導管８０および／または第２の環状導管８２は、滑らかなまたは螺旋状の内側側壁（図示せず）を有してもよい。いくつかの例では、第１の導管８０の断面積に対するフレア状基部７６の断面積の比は、５：１〜２０：１であってもよい。さらなる例では、フレア状基部７６の半径は、円錐台形状の遠位端とシリンジネック２２との間の移行部におけるシリンジ１２の半径以下であることが望ましい。
【００６５】
図６を参照すると、第２の係合位置にある流体移送アセンブリ１０が示されており、穿刺点７２が第２の液体容器３６のゴム隔壁５４を貫通し、それによって液体Ｆが第２の環状導管８２に入ることができる。液体Ｆは、第２の環状導管８２の近位端７８から充填アダプタ３２を通って、シリンジネック２２を介して第１の液体容器１２の内部容積２８内に移動する。液体流は、重力によって駆動されてもよく、あるいは回転ダイヤフラムシリンジ１２aが近位方向に展開される場合、またはシリンジ１２bのプランジャ３１が近位方向に引き抜かれる場合などに、真空アシストされてもよい。第２の環状導管８２を介して第１の液体容器１２に入る液体Ｆは、フレア状基部７６に接触し、バレル１４の側壁２０を滴下して第１の液体容器１２の底部に蓄積する前に、長手方向軸７１からバレル１４の内面２６に向かって半径方向外側に撓む。液体Ｆは、第１の導管８０の代わりに第２の環状導管８２を通って流れ始めるが、それは、第２の環状導管８２が充填アダプタ３２のより低い点にあり、第１の導管８０の入口より高いヘッド圧力を有するからである。第２の液体容器３６から第１の液体容器１２の内部に液体Ｆが流入することにより、第１の液体容器１２内の空気が第１の導管８０を介して第２の液体容器３６に移動する。第１の導管８０を最初に流れる任意の液体は、第１の導管８０を通って第１の液体容器１２から第２の液体容器３６に流れる空気によって第１の導管８０から押し出される。第１の液体容器１２内の空気／液体交換は、第１の導管８０および第２の環状導管８２を通って実質的に同時に起こり、不均一な流れ特性による流れの滞りまたは音を立てる流れがない。
【００６６】
図８を参照すると、穿刺装置６８は、穿刺装置６８が隔壁５４を貫通した後に第２の液体容器３６から穿刺装置６８が外れることを防止するように構成された複数の撓み可能なバーブ８４をさらに含むことができる。撓み可能なバーブ８４は、穿刺装置６８の外面から半径方向外側に延在し、穿刺装置６８と鋭角をなす。穿刺点７２が第２の液体容器３６の穿刺可能な隔壁５４を貫通する際に、バーブ８４が長手方向軸７１に向かって半径方向内側に撓むので、穿刺装置６８が隔壁５４を通り抜けて第２の液体容器３６に入ることが可能になる。同様に、穿刺装置６８に近位方向の力を加えると、撓み可能なバーブ８４が半径方向外側に延びて、穿刺装置６８が第２の液体容器３６から外れることを防止する。近位方向の力によって、穿刺装置６８が充填アダプタ３２の本体５６から分離するが、本体５６は第１の液体容器１２のシリンジネック２２に接続されたままである。このようにして、第２の液体容器３６は、第２の液体容器３６のシリンジネック４６内に閉じ込められた穿刺装置６８と共に廃棄することができる。
【００６７】
図８を参照すると、充填アダプタ３２は、穿刺装置６８の近位端７８に解放可能に接続されたプラグ８５をさらに含むことができる。穿刺装置６８を本体５６から取り外すと、プラグ８５は第１の位置（図６に示す）から第２の位置（図８に示す）に移動する。第１の位置ではプラグ８５が本体５６から分離され、第２の位置ではプラグ８５が本明細書で説明するように本体５６に接続される。図１１を特に参照すると、プラグ８５は、第１の液体容器１２の内部容積２８と液体連通する液体チャネル８８を画定する内側部材８６を有する。内側部材８６は、穿刺装置の第１の導管（図１１には図示せず）と位置合わせされている。内側部材８６は、内側部材８６の長手方向の長さの少なくとも一部に沿って軸方向に延在する外側環状スカート９０によって取り囲まれている。内側部材８６は、外側環状スカート９０から環状空間９２によって半径方向に離間されている。外側環状スカート９０は、第１の液体容器１２を液体経路に接続するように構成されたねじ部分９４、すなわち内側部材８６に面した内面９６に形成された雌型ルアーロック部材を有する。外側環状スカート９０の外面９８は、本体５６の内側側壁６４に形成された対応する形状の凹部１０２内に嵌合するように適合された、外側環状スカート９０の長手方向の長さの一部から延在する少なくとも１つの足部１００を有する。足部１００が凹部１０２内に係合されると、プラグ８５は本体５６に接続され、プラグ８５がシリンジネック２２の先端から外れるのを防止する。図８を特に参照すると、足部１００が凹部１０２内に係合され、ユーザがアセンブリ１０を分離するために第１の液体容器１２に近位方向の力を加えると、バーブ８４の底部１０３が第２の液体容器３６の隔壁５４に接触し、穿刺装置６８が第２の液体容器３６から引き出されることを防止する。その結果、穿刺装置６８の本体７０および穿刺装置６８の近位端７８に取り付けられたプラグ８５は、足部１００が凹部１０２内にロックするまで、第１の液体容器１２の遠位端１８に向かって押し込まれる。さらに、近位方向の力によって、穿刺装置６８の本体７０が充填アダプタ３２の本体５６から取り外されるが、プラグ８５は本体５６に接続されたままであり、第１の液体容器１２のシリンジネック２２を覆っている。穿刺装置６８は、第２の液体容器３６と共に廃棄することができる。
【００６８】
図１１を参照すると、チューブ（図示せず）を任意にプラグ８５に接続して、第１の液体容器１２が液体で充填された後に、第１の液体容器１２から患者への液体経路を確立することができる。いくつかの例では、プラグ８５の外側環状スカート９０は、雄部材（図示せず）を有するチューブと接続して液体経路を形成するように構成された内面９６に形成されたねじ部分９４、すなわち雌ルアーロック部材を含む。他の例では、雌ねじ９４と雄部材（図示せず）との配置を逆にしてもよい。そのような例では、雄要素がプラグ８５に設けられ、テーパ付き雌ねじ９４がチューブに設けられる。
【００６９】
引き続き図１１を参照すると、本体５６の内側側壁６４は、少なくとも１つの足部１００を長手方向軸５８に向かって半径方向に屈曲させて、足部１００が凹部内に係合していないときに、シリンジネック２２内の長手方向のプラグ８５の移動を容易にすることができる。プラグ８５の外面９８は、足部１００が凹部１０２内に係合したときに、液体Ｆが本体５６とプラグ８５との間で漏れないようにするために、１つまたは複数の封止１０４をさらに含むことができる。あるいは、１つまたは複数の封止１０４は、任意に、凹部１０２の周りの内側側壁６４に固定されてもよい。
【００７０】
次に、図１２を参照して、本開示の別の実施例による流体移送アセンブリ２００について説明する。流体移送アセンブリ２００は、プランジャの作動によってシリンジを真空にする必要性を排除するように構成される。代わりに、流体移送アセンブリ２００は、充填プロセス中に液体容器をシリンジよりも高い位置に維持することによって充填速度を増加させるために液体のヘッド圧力に依存する。図１２に示すように、流体移送アセンブリ２００は、シリンジ２０２と、シリンジ２０２の上方の液体容器２０１に接続するように構成されたスパイクアダプタ２０４と、を有する。スパイクアダプタ２０４は、充填プロセス中に空気を液体容器に入れるための通気口２０６を含む。シリンジ２０２とスパイクアダプタ２０４とを接続するのは、充填チューブ２０８であり、充填チューブ２０８は、充填チューブ２０８を通る液体の流れを選択的に停止または開始させるためのチューブクランプ２１０を有する。チューブクランプ２１０は、ピンチバルブなどの任意の適切な代替バルブであってもよい。シリンジ２０２をスパイクアダプタ２０４に直接接続することができるが、充填チューブ２０８は、シリンジ２０２と液体容器２０１との間の距離を増加させることによって、液体容器２０１内の液体のヘッド高さを増加させる。このようにして、残りの流れ変数が一定に保たれている場合にはヘッドの高さに伴って一般に流量が増加するので、シリンジ２０２の充填速度を増加させることができる。様々な実施形態において、シリンジ２０２の充填速度は、対応するヘッド高さを選択することによって選択することができる。
【００７１】
図１３を参照し、引き続き図１２を参照すると、バルブハウジング２１６がシリンジ２０２の開放端部に連結され、バルブハウジング２１６はその上にコネクタキャップ２１２と、そこに保持された一方向の流体の流れを可能にする任意のフローティングボール２１４または他のバルブ設計と、を有する。バルブハウジング２１６は、低圧コネクタチューブ２２０と接続するように構成された継手２１８をさらに有し、継手２１８は、シリンジが満たされチューブがプライミングされると、患者に接続された別個のチューブ（図示せず）との湿式接続を形成することができる。コネクタチューブ２２０は、その遠位端において継手２２１に接続されたプライムストロー２２２を有する。フローティングボール２１４が省略されている例では、液体がシリンジ２０２から液体容器２０１へ流れるのを防止するために別個のバルブ機構（図示せず）を設けてもよい。
【００７２】
引き続き図１３を参照すると、バルブハウジング２１６がシリンジ２０２に連結されて示されており、充填チューブ２０８は、コネクタキャップ２１２を介してバルブハウジング２１６に液体結合されている。また、バルブハウジング２１６内には、ベル形のフローコントローラ２２４がある。開放端部２２６は、コネクタチューブ２２０と流体連通するように構成されている。充填プロセスの間、シリンジ２０２の上の液体容器２０１（図１２に示す）からの液体は、充填チューブ２０８を通ってバルブハウジング２１６に重力により供給される。フローティングボール２１４または他の一方向バルブは、初期充填プロセス中に液体がバルブハウジング２１６を通って流れることを可能にするように構成され、液体はフローコントローラ２２４の外面を流れ落ちて、その周りを流れる。任意選択的に、フローコントローラ２２４の表面のベル形の輪郭は、リブ付きコネクタ２２５によってシリンジ２０２の内壁に沿って液体を押し出す。フローコントローラ２２４のベル形の輪郭とシリンジ２０２（および／またはリブ付きコネクタ２２５）の遠位端の円錐形の側壁との組み合わせにより、コアンダ効果によって液体がシリンジ２０２に充填される。本明細書で使用されるように、コアンダ効果は、液体が表面に沿って流れるにつれて、液体ストリームが近くの湾曲または傾斜した表面に引き寄せられる傾向である。したがって、液体がフローコントローラ２２４および／またはリブ付きコネクタ２２５を流れ落ちると、フローコントローラ２２４および／またはリブ付きコネクタ２２５の端部から垂れ落ちるのではなく、シリンジ２０２の円錐遠位端２５０の内面に自然に引き付けられる。次いで、液体がシリンジ２０２の管状側壁２５２を流れ、最終的にシリンジ２０２の底部に蓄積し、フローコントローラ２２４およびコネクタチューブ２２０を通って空気がシリンジから逃げる際にシリンジ２０２を底から上に充填する。シリンジ２０２の内面に沿ったこの流れは、液体がシリンジ２０２を充填する際に乱流を減少させるのを助け、シリンジ２０２が充填される際に気泡が形成されるのを低減させることを助ける。
【００７３】
シリンジ２０２が充填されると、液体は最終的にシリンジ２０２内のレベルに達し、そこでフローコントローラ２２４の開放端部２２６に流入してコネクタチューブ２２０に流入し、それによりコネクタチューブ２２０をプライミングする。コネクタチューブ２２０が完全にプライミングされると、シリンジ２０２内への追加の液体流は、フローティングボール２１４をコネクタキャップ２１２の内面に対して押し上げ、それによって充填チューブ２０８からシリンジ２０２内への液体の流れを止める。この時点で、プライムストロー２２２を取り外し、コネクタチューブ２２０の継手２２１を患者側チューブ（図示せず）に接続することができ、従来の液体送達処置、例えば駆動式液体インジェクタなどを使用して、シリンジ２０２の内容物を患者に送達することができる。液体がシリンジ２０２から送達される注入処置の間、フローティングボール２１４はバルブハウジング２１６の遠位端に着座して、液体容器２０１への液体の流れを防止する。流体移送アセンブリ２００内の液体の流れの速度は、例えば、容器とシリンジ２０２との間の高さの変化によってヘッド圧力を増加させること、バルブ領域における液体制限を除去すること、シリンジネックサイズを大きくすることなどによって最適化することができる。
【００７４】
次に、図１４を参照すると、本開示の別の代替的な実施例による充填アダプタ３００が示されている。充填アダプタ３００は、スナップオン接続、ねじ接続、溶接などによって連結されたスパイク３０４を有するシリンジ３０２と組み合わせて使用することができる。スパイク３０４は、その軸方向の長さに沿って延在する空気交換導管３０６と共に、その側面に複数の液体開口３０５を有する。いくつかの例では、空気交換導管３０６の断面積は、液体開口３０５と流体連通する導管の断面積よりも８％〜４０％小さくすることができる。開口３０５の液体圧力は、ヘッド圧力のため空気交換導管３０６よりも高い。したがって、容器内の液体は、開口３０５を通って自然に流れる。このような構成は、導管３０６から出る空気が開口３０５に入って、充填処置中に気泡がシリンジ内に入らないことを保証する。シリンジ３０２の近位の空気交換導管３０６の端部には、ベル形のフローコントローラ３０８がある。図示していないが、スパイク３０４は、容器からシリンジ３０２へ液体が流れ始めるように、シリンジ３０２の上の容器（図１２に示す液体容器２０１など）に接続するように構成される。容器内の液体は、スパイク３０４上の液体開口３０５に流入するように構成され、スパイク３０４を通って空気交換導管３０６の周囲に沿って下方に流れる。シリンジ３０２内に存在する空気は、空気交換導管３０６を介して容器内の空気と同時に交換される。液体がフローコントローラ３０８の外周面に沿って流れると、液体がフローコントローラ３０８の近位端のベル形フレア３１０に到達し、ベル形フレア３１０が液体をシリンジ３０２の遠位端のリブ付きコネクタ３０９の方に押す。図１３に関して上述したように、フローコントローラ３０８のベル形の輪郭とリブ付きコネクタ３０９とのこの組み合わせにより、コアンダ効果によって液体がシリンジ３０２に充填される。したがって、液体がフローコントローラ３０８およびリブ付きコネクタ３０９を流れ落ちると、液体が自然にシリンジ３０２の内面に引き付けられ、液体がシリンジ３０２を満たす際に乱流を減少させ、シリンジ３０２内の気泡の減少を助ける。いくつかの例では、フローコントローラ３０８の内部導管の断面積に対するベル形フレア３１０の断面積の比は、５：１〜２０：１であってもよい。さらなる例では、ベル形フレア３１０の半径は、望ましくは、円錐台形状の遠位端とシリンジネックとの間の移行部におけるシリンジ３０２の側壁の半径以下である。
【００７５】
シリンジ３０２が液体で満たされた後に、スパイク３０４を容器から取り除くことができ、コネクタチューブ（図示せず）をスナップオン接続などの適切な接続を介してそこに取り付けることができる。コネクタチューブを患者側チューブ（図示せず）に接続することができ、シリンジ３０２の内容物を、駆動式インジェクタを使用するなどの液体送達処置によって患者に送達することができる。
【００７６】
図１５Ａ〜図１５Ｂを参照すると、本開示の別の実施例による流体移送アセンブリ４００が示されている。流体移送アセンブリ４００は、デュアルシリンジ４０１、４０２を有する。当技術分野で知られているように、多くの注入処置は、２つの別個の液体、例えば造影剤および生理食塩水の患者への注入を含む。流体移送アセンブリ４００は、デュアルシリンジ４０１、４０２を使用してこのような処置を実施する。各シリンジ４０１、４０２は、例えば、図１２〜図１４に記載のように、本明細書に記載されたものと実質的に同様の方法で充填される。すなわち、シリンジ４０１、４０２およびスパイクアダプタ４０３、４０４は、シリンジ４０１、４０２の上の液体容器（図示せず）に接続するように構成されている。シリンジ４０１、４０２およびそれぞれのスパイクアダプタ４０３、４０４の接続は、充填チューブ４０５、４０６であり、各充填チューブ４０５、４０６には、充填チューブ４０５、４０６を通る液体の流れを選択的に停止または開始させるためのチューブクランプ４０７、４０８がそれぞれ配置されている。
【００７７】
各シリンジ４０１、４０２は、それぞれのコネクタキャップ４０９、４１０を有するそれぞれのバルブハウジング４１１、４１２に連結されている。したがって、シリンジ４０１、４０２は、図１２〜図１４に関して上述したのと実質的に同じ方法で、それぞれの液体で充填される。図１５Ａに示すように、バルブハウジング４１１は、Ｔコネクタ４１３に液体結合されている。Ｔコネクタ４１３は、バルブハウジング４１１を低圧コネクタチューブ４１４に連結し、コネクタチューブ４１４の遠位端にはプライムストロー４１５が接続されている。Ｔコネクタ４１３は継手４１９も含む。一方、シリンジ４０２上のバルブハウジング４１２は、その遠位端に継手４１７を有するコネクタチューブ４１６に直接連結されている。
【００７８】
図１２〜図１４に関して上述したのと同様の方法で各シリンジ４０１、４０２を充填した後に、流体移送アセンブリ４００は、シリンジ４０１、４０２の内容物を、コネクタチューブ４１４を介して患者に同時にまたは逐次的に注入することができる。すなわち、図１５Ｂを参照すると、シリンジ４０１、４０２の充填後に、コネクタチューブ４１６および継手４１７は、Ｔコネクタ４１３の継手４１９に連結することができる。この流体接続によって、シリンジ４０１、４０２内のそれぞれの液体は、注入プロセスの間に一緒に組み合わされるか、または順次流れて、コネクタチューブ４１４への湿式接続を介して患者に提供される。
【００７９】
図１６は、本開示の別の代替例を示す。デュアルシリンジ５０１、５０２は、それぞれの充填チューブ５０３、５０４を介してそれぞれのスパイクアダプタ５０５、５０６に液体結合されるように示されている。充填手順は、図１２〜図１３および図１５Ａ〜図１５Ｂに関して上述したものと実質的に同様であってもよい。シリンジ５０１、５０２が適切な液体で充填された後に、それらは、それぞれチェックバルブ継手５０８、５０９を介してＹ字型コネクタチューブ５１０に連結することができる。次いで、コネクタチューブ５１０を、その遠位端で患者側チューブ５１１に接続することができる。この流体接続によって、シリンジ５０１、５０２内のそれぞれの液体は、注入プロセスの間に一緒に組み合わされるか、または順次送達されて、コネクタチューブ５１０への湿式接続を介して患者に提供される。このような構成は、コネクタチューブ５１０が使い捨ての接続であってもよく、チェックバルブ継手５０８、５０９が液体の双方向の流れおよびそれぞれのシリンジ５０１、５０２の汚染を防止することができるので、多患者注入用途に特に有効であり得る。
【００８０】
次に図１７Ａ〜図１７Ｂを参照すると、本開示の別の実施例による流体移送アセンブリ６００が記載されている。図１７Ａは、バルブハウジング６０３が連結されたシリンジ６０１を示し、バルブハウジング６０３は、その上に接続されたコネクタキャップ６０４を有する。スパイクアダプタ６０５は、コネクタキャップ６０４に連結され、低圧コネクタチューブ６０２は、バルブハウジング６０３とコネクタキャップ６０４との間に液体接続され、継手６０６は、コネクタチューブ６０２とコネクタキャップ６０４との間の取り外し可能な接続を提供する。図１７Ｂは、流体移送アセンブリ６００に関連する液体経路のより詳細を提供する。例えば、スパイクアダプタ６０５は、一対の導管６０７、６０８を有する。液体導管６０７は、スパイクアダプタ６０５に連結された容器（図示せず）内の液体がコネクタキャップ６０４内の導管６１０に流れることを可能にする。空気導管６０８は、流体が液体導管６０７を通って導入される際に容器から空気を逃がすことができる。いくつかの例では、空気導管６０８の断面積は、液体導管６０７の断面積よりも８％〜４０％小さくてもよい。図１７Ｂに示すように、空気導管６０８の遠位端は、液体導管６０７の遠位端から遠位に配置される。いくつかの例では、空気導管６０８は、液体導管６０７よりもさらに遠位に０．１５インチ〜０．２５インチ延在してもよい。このように、液体導管６０７の開口における液体圧力は、ヘッド圧力の差によって空気導管６０８における液体圧力よりも高い。この圧力差により、容器が液体導管６０７を通って充填されているときに、空気導管６０８を通して空気を容器から押し出すことができる。さらに、液体導管６０７を通って第１の流体容器に流体を導入することによって、第２の流体容器内に真空が生じ、第１の流体容器から空気導管６０８を通って第２の流体容器に「引き込む」。シリンジ６０１が充填されるにつれて、液体がバルブハウジング６０３内の任意のフローティングボール６０９の周りを通り、通路６２０を通って流れることができる。この液体は、流路６２１を介してベル状のフローコントローラ６１２の周囲を流れることができる。図１２および図１３に関して上述したように、フローコントローラ６１２は、シリンジ６０１がコアンダ効果によって充填される際に、液体がシリンジ６０１の内面に沿って流れるように導くように成形され、サイズが決められている。フローコントローラ６１２のフレア部分６１６およびシリンジ６０１の遠位端のリブ付きコネクタ６１１はまた、このような液体の流れを導くことができる。いくつかの例では、流路６２１の断面積に対するフレア部分６１６の断面積の比は、５：１〜２０：１であってもよい。さらなる例では、フレア部分６１６の半径は、望ましくは、円錐台形状の遠位端とシリンジネックとの間の移行部におけるシリンジ６０１の側壁の半径以下である。
【００８１】
容器からの液体がシリンジ６０１を充填するにつれて、シリンジ６０１内の空気は、フローコントローラ６１２に形成された通路６１５を通過することができ、その後に、空気はコネクタチューブ６０２を通り、スパイクアダプタ６０５の導管６０８に入り、そこで空気が容器に入る。シリンジ６０１が液体で満たされると、液体それ自体が通路６１５に入り、コネクタチューブ６０２をプライミングする。液体は、フィルタ６１３を介して導管６０８に入ることが防止され（したがって、容器に再び入ることが防止される）、この時点でコネクタチューブ６０２は液体でプライミングされる。コネクタチューブ６０２が液体で完全にプライミングされた後に、シリンジ６０１にまだ入ってくる液体がフローティングボール６０９を上方に押し上げ、シリンジ６０１がより多くの液体を受け取るのを効果的に封止する。液体がシリンジ６０１から送達される注入処置の間、フローティングボール６０９は、スパイクアダプタ６０５の遠位端に着座して、液体容器（図示せず）への液体の流れを防止する。
【００８２】
シリンジ６０１が造影剤または生理食塩水で満たされ、コネクタチューブ６０２が完全にプライミングされた後に、コネクタチューブ６０２を継手６０６においてコネクタキャップ６０４から取り外すことができ、次に、シリンジ６０１の内容物が駆動式液体インジェクタを使用するなどの従来の液体送達処置によって患者に送達され得るように、患者側コネクタチューブを継手６０６に接続することができる。
【００８３】
図１８Ａ〜図１８Ｅを参照すると、本開示の別の実施例による流体移送アセンブリ７００が記載されている。システム７００の構成要素の多くは、図１７Ａ〜図１７Ｂに関して上述したシステム６００の構成要素の多くと同一または同様であるので、重複する構成要素については詳細に説明しない。流体移送アセンブリ７００は、２つの異なるコネクタチューブ７０４、７０５を介して容器７０２に液体結合されたシリンジ７０１を有する。それぞれのコネクタチューブ７０４、７０５の一端は、容器７０２との係合を提供するスパイクアダプタ７０３に連結されている。シリンジ７０１にはバルブハウジング７０８が連結されており、バルブハウジング７０８にはコネクタキャップ７０７が接続されている。それぞれのコネクタチューブ７０４、７０５は、コネクタキャップ７０７に連結され、低圧コネクタチューブ７０９は、バルブハウジング７０８とコネクタキャップ７０７との間に液体接続され、継手７１０は、コネクタチューブ７０９とコネクタキャップ７０７との間の取り外し可能な接続を提供する。さらに、チューブクランプ７０６（または他の適切なバルブ）がコネクタチューブ７０５に連結され、コネクタチューブ７０５を通る流れを遮断することができる。
【００８４】
特に図１８Ｃ〜図１８Ｅを参照すると、流体移送アセンブリ７００に関連する液体経路のより詳細が示されている。例えば、スパイクアダプタ７０３は、容器７０２からの液体がコネクタチューブ７０４に入ることを可能にするように構成されたスパイクアダプタ７０３を通って横方向に延在する複数の液体開口７１２を有する。スパイクアダプタ７０３はまた、コネクタチューブ７０５および容器７０２のヘッドスペースと空気連通するように構成された導管７１３を有する。開口７１２は、容器７０２からの液体がコネクタキャップ７０７に流れることを可能にする。開口７１２は、０．０１〜０．１０in2または約０．０６in2の断面積を有してもよい。いくつかの例では、導管７１３の断面積は、開口７１２と流体連通する導管の断面積よりも８％〜４０％小さくてもよい。シリンジ７０１が充填されるにつれて、液体がバルブハウジング７０８内のオプションのフローティングボール７１５の周りを流れてシリンジ７０１に流入することができるので、フローティングボール７１５がバルブハウジング７０８内の表面７１９上に保持される。ここでもまた、図１２および図１３に関して上述したように、フローコントローラ７１６は、シリンジ７０１がコアンダ効果によって充填される際に、液体がシリンジ７０１の内面に沿って流れるように導くように成形され、サイズが決められている。
【００８５】
容器７０２からの液体がシリンジ７０１を充填するにつれて、シリンジ７０１内の空気は、フローコントローラ７１６を通過することができ、その後に、空気はコネクタチューブ７０９を通り、スパイクアダプタ７０３の導管７１３に入り、そこで空気が容器７０２に入る（図１８Ａに示す）。シリンジ７０１が液体でプライミングされると、液体それ自体がフローコントローラ７１６に入り、コネクタチューブ７０９をプライミングする。液体は、フィルタ７１７を介して導管７１３に入ることが防止される（したがって、容器に再び入ることが防止される）。コネクタチューブ７０９が液体で完全にプライミングされた後に、シリンジ７０１にまだ入ってくる液体がフローティングボール７１５を上方に押し上げ、シリンジ７０１がより多くの液体を受け取るのを効果的に封止する。液体が圧力下でシリンジ７０１から送達される注入処置の間、フローティングボール７１５はバルブハウジング７０８の遠位端に着座して、液体容器７０２への液体の流れを防止する。チューブ７０４、７０５を通る流れはまた、チューブクランプ７０６によって防止することができる。
【００８６】
図１８Ｄを特に参照すると、開口７１２は互いに対して軸方向に離間していてもよい。スパイクアダプタ７０３が液体容器内に挿入されると、容器内の液体による開口７１２における液体圧力が、スパイクアダプタ７０３の遠位端からスパイクアダプタ７０３の近位端に向かって上昇する。このようにして、最遠位の開口７１２における液体圧力は、最近位の開口７１２の液体圧力よりわずかに低くなる。したがって、容器内の液体は、まず、最近位の開口７１２を通って流れ、その後に遠位の開口７１２を通って流れる。このような構成は、例えばベンチュリ効果により、導管７１３から出る空気が開口７１２に入って、充填処置中に気泡がシリンジ内に入らないことを保証する。
【００８７】
シリンジ７０１が充填され、コネクタチューブ７０９が完全にプライミングされた後に、コネクタチューブ７０９を継手７１０においてコネクタキャップ７０７から取り外すことができ、次に、シリンジ７０１の内容物が駆動式液体インジェクタを使用するなどの従来の液体送達処置によって患者に送達され得るように、患者側コネクタチューブを継手７１０に接続することができる。
【００８８】
図１９Ａ〜図１９Ｂを参照すると、本開示の別の実施例による流体移送アセンブリ８００が示されている。流体移送アセンブリ８００は、それぞれの第１のシリンジ８０３および第２のシリンジ８０４に液体結合された第１の容器（例えば、生理食塩水バッグ）８０１および第２の容器８０２（例えば、造影剤のボトル）を有する。第１および第２のシリンジ８０３、８０４がどのように充填されるかの詳細については、図１８Ａ〜図１８Ｅに関して上に開示したものと実質的に同様であるので、充填プロセスのさらなる説明はここでは省略する。図１９Ａに示すように、充填プロセス中に、低圧コネクタチューブ８０５は、第１のシリンジ８０３と第１の容器８０１に通じるコネクタチューブとの間の通路を形成し、別個のチューブ８０６は、第２のシリンジ８０４と第２の容器８０２に通じるコネクタチューブとの間の通路を提供する。しかしながら、図１９Ｂを参照すると、第１および第２のシリンジ８０３、８０４をそれぞれの液体で充填した後に、コネクタチューブ８０６をコネクタチューブ８０５に連結することができる。この流体接続によって、第１および第２のシリンジ８０３、８０４内のそれぞれの液体は、注入プロセスの間に一緒に組み合わされるか、または順次送達されて、コネクタチューブ８０５への湿式接続を介して患者に提供される。
【００８９】
図２０を参照すると、本開示の別の代替例による流体移送アセンブリ９００が示されている。流体移送アセンブリ９００は、それぞれの第１のシリンジ９０３および第２のシリンジ９０４に液体結合された第１の容器（例えば、生理食塩水バッグ）９０１および第２の容器（例えば、造影剤のボトル）９０２を有する。再び、第１および第２のシリンジ９０３、９０４がどのように充填されるかの詳細については、図１８Ａ〜図１８Ｅに関して上に開示したものと実質的に同様であるので、充填プロセスのさらなる説明はここでは省略する。充填プロセス中に、コネクタチューブ９０５は、第１のシリンジ９０３と第１の容器９０１に通じるコネクタチューブとの間の通路を形成し、別個のチューブ９０６は、第２のシリンジ９０４と第２の容器９０２に通じるコネクタチューブとの間の通路を提供する。第１および第２のシリンジ９０３、９０４の充填後に、コネクタチューブ９０６をコネクタチューブ９０５に連結することができる。この流体接続によって、第１および第２のシリンジ９０３、９０４内のそれぞれの液体は、注入プロセスの間に一緒に組み合わされるか、または順次送達することができる。次いで、別個の低圧コネクタチューブ９１０がコネクタチューブ９０５に連結され、プライミングされ、コネクタチューブ９１０への湿式接続を介して患者に提供され得る。
【００９０】
ここで図２１Ａ〜図２１Ｆを参照すると、本開示の別の実施例による流体移送アセンブリ１０００が示されている。特に、流体移送アセンブリ１０００は、バルブハウジング１００２内に保持されたフローコントローラ１００６に関してより詳細を示す。上述の先の例と同様に、流体移送アセンブリ１０００は、コネクタキャップ１０１２が連結されたバルブハウジング１００２を有し、オプションのフローティングボール１００４がそこに保持される。液体は、その上に配置された容器（図示せず）に接続されたコネクタチューブ１０１３を介してバルブハウジング１００２に入ることができる。フローティングボール１００４は、液体通路を有する表面１００５上に置くことによって液体を通過させることができる。フローコントローラ１００６はさらにコネクタチューブ１００９に連結され、空気および／または液体がそこを通過することができる。液体が圧力下でシリンジ１００８から送達される注入処置の間、フローティングボール１００４はバルブハウジング１００２の遠位端に着座して、液体容器への液体の流れを防止する。
【００９１】
上述したように、フローコントローラ１００６は、その上を流れる液体がコアンダ効果によってシリンジ１００８の内面に付着するように、サイズおよび形状が決められている。コアンダ効果による流れを達成するために、フローコントローラ１００６およびリブ付きコネクタ１０１０の外面の一方または両方にリブまたは輪郭を設けることが有利であり得る。例えば。図２１Ｃ〜図２１Ｄは、リブ付きコネクタ１０１０を示しており、複数の丸いリブ１０１１が内面に形成されている。液体がリブ付きコネクタ１０１０を通過する際に、リブ１０１１は、液体がシリンジ１００８の内面に付着するのを助長するように液体の流れを導くことができる。同様に、フローコントローラ１００６は、このような液体の流れをさらに誘起するようなサイズおよび形状にすることができる。図２１Ｅに示すように、フローコントローラ１００６は、均一な液体の流れを同様に促進する複数のリブ１０１５をその上に有することができる。リブ１０１５は、フローコントローラ１００６の長手方向軸の周りに等しいかまたは等しくない角度間隔を有することができる。リブ１０１５は、フレア端部１００７に連結され、シリンジ１００８の内面への液体の付着をさらに促進することができる。また、リブ付きコネクタ１０１０が丸いリブ１０１１を有するように示されているが、流れを制御するために異なる形状のリブを有することもまた有利であり得る。例えば、図２１Ｆが示すように、リブ付きコネクタ１０２０は、シリンジ１００８の内面に沿った液体の流れを促進するためのフレア端部を有する複数の四角形のリブ１０２１を有することができる。いくつかの例では、フローコントローラ１００６の内部導管の断面積に対するフレア端部１００７の断面積の比は、５：１〜２０：１であってもよい。さらなる例では、フレア端部１００７の半径は、望ましくは、円錐台形状の遠位端とシリンジネックとの間の移行部におけるシリンジ１００８の側壁の半径以下である。
【００９２】
次に、図２２Ａ〜図２２Ｄを参照すると、本開示の別の実施例による流体移送アセンブリ１２００が示されている。流体移送アセンブリ１２００は、シリンジ１２０１と、シリンジ１２０１の上の液体容器（図示せず）に接続するように構成されたスパイクアダプタ１２０２と、を有する。スパイクアダプタ１２０２は、充填プロセス中に空気を液体容器に入れるための通気口１２０３を有する。シリンジ１２０１とスパイクアダプタ１２０２との接続は、充填チューブ１２０４である。バルブハウジング１２０５は、シリンジ１２０１の開放端部に連結され、バルブハウジング１２０５は、その上にコネクタキャップ１２０６を有し、オプションのフローティングボール１２１０がその中に保持される。バルブハウジング１２０５は、継手１２０８を介してプライムストロー１２０７に液体接続するようにさらに構成される。プライムストロー１２０７が取り外されると、プライミング後の患者への最終的な流体接続のために、別個のチューブ（図示せず）をバルブハウジング１２０５に接続することができる。
【００９３】
バルブハウジング１２０５は、シリンジ１２０１に連結されて示されており、充填チューブ１２０４は、コネクタキャップ１２０６を介してバルブハウジング１２０５に液体結合されている。また、バルブハウジング１２０５内には、ベル形のフローコントローラ１２１２がある。再び、フローコントローラ１２１２の表面のベル形の輪郭は、コアンダ効果によって、シリンジ１２０１の内壁に沿って液体を導く。フローコントローラ１２１２の中央開口は、空気がシリンジ１２０１からプライムストロー１２０７に流れるための広いチャネルを提供し、それによって空気／液体界面を通過する空気の速度を低下させる。このようにして、例えばベルヌーイ効果の下で、ゆっくりと移動する空気は遠位方向に液体を引き出すことはほとんどない。
【００９４】
ここで図２３Ａ〜図２３Ｄを参照すると、本開示の別の実施例による流体移送アセンブリ１３００が示されている。流体移送アセンブリ１３００は、シリンジ１３０１と、容器１３０２と、シリンジ１３０１と容器１３０２を直接的に液体接続するように構成されたスパイクアダプタ１３０３と、を有する。具体的には、図２３Ｂを参照すると、スパイクアダプタ１３０３は、容器１３０２の隔壁または他の封止された構成要素を穿刺することができるスパイク１３１０を有する。スパイク１３１０は、そこを通って形成された２つの通路を有し、一方はシリンジ１３０１と流体接続し、他方はスパイクアダプタ１３０３上に形成された通気導管１３０６を通して容器１３０２内に通気することができ、通気導管１３０６は通気キャップ１３０７に連結されている。液体が例えば真空充填処置中に容器１３０２からスパイク１３１０を通過する際に、液体がフローコントローラ１３０８と接触する。上記の例で詳述したように、フローコントローラ１３０８は、充填プロセス中にシリンジ１３０１の内面に沿って液体の流れを導くように形成される。具体的には、図２３Ｂおよび図２３Ｄに示すように、フローコントローラ１３０８は内部に内側開口１３１５を有し、フローコントローラ１３０８に入る任意の液体がフローコントローラ１３０８の周面を流れ落ちるように促され、シリンジ１３０１の内面に沿って液体の流れをより良く導く。
【００９５】
フローコントローラ１３０８は内部に形成された内側開口１３１５を有するように示されているが、本開示によるフローコントローラの形状および輪郭はこれに限定されない。例えば、図２４Ａ〜図２４Ｂ、図２５Ａ〜図２５Ｂ、および図２６Ａ〜図２６Ｂは、本開示の代替的な実施例による代替的なフローコントローラを示す。具体的には、図２４Ａ〜図２４Ｂは、下方に延在する中実のベル形構成要素１３１６を有するフローコントローラ１３１２を示し、ベル形構成要素１３１６は、シリンジ１３０１の内面に沿って液体の流れを導くように構成される。図２５Ａ〜図２５Ｂは、内部に開口１３２１を有するフローコントローラ１３２０を示し、フローコントローラ１３２０の底部には、シリンジ１３０１の内面またはその近傍で液体が通過できるための複数の開口１３２２が形成されている。さらに、図２６Ａ〜図２６Ｂは、そこを通過する液体がシリンジ１３０１の内面に沿って流れることを促進するドーム形のインサート１３３０のリテーナを内部に有するフローコントローラ１３２８を示す。インサート１３３０は、液体の流れ結果としてインサート１３３０の少なくとも一部を撓ませることによって形成される開口を調整することができるように、エラストマー材料から作製することができる。
【００９６】
ここで図２７Ａ〜図２７Ｇを参照すると、本開示の別の実施例による流体移送アセンブリ１４００が示されている。流体移送アセンブリ１４００の多くの態様は、以前の流体移送アセンブリに関して既に説明したものと同様であるが、流体移送アセンブリ１４００は、スプールバルブ１４１５を使用して、本明細書で説明したように、シリンジ１４０１との間の流れを有効または無効にする。
【００９７】
具体的に図２７Ａ〜図２７Ｇを参照すると、流体移送アセンブリ１４００は、容器１４０２およびシリンジ１４０１を有し、容器１４０２およびシリンジ１４０１は、２つのそれぞれのコネクタチューブ１４０３、１４０４を介して液体結合される。バルブハウジング１４０６はシリンジ１４０１に連結され、バルブハウジング１４０６は、内部にフローコントローラ１４１０と、シリンジ１４０１との間で空気を通気するように構成された通気キャップ１４１２と、低圧コネクタチューブ１４０５への流体接続用の継手と、を有する。バルブハウジング１４０６は、スプールバルブ１４１５にさらに液体接続され、スプールバルブ１４１５は、バルブハウジング１４０６を通ってシリンジ１４０１内への液体の流れを有効または無効にする。より具体的には、スプールバルブ１４１５は、両方のコネクタチューブ１４０３、１４０４に液体接続される。シリンジ充填作業中に、コネクタチューブ１４０５の一端はバルブハウジング１４０６に連結され、コネクタチューブ１４０５の第２の端部は、継手１４０８を有し、継手１４０９においてスプールバルブ１４１５に連結される。スプールバルブ１４１５内には、ばね１４１７または他の付勢部材により「閉」位置に縦方向に付勢されるように構成されたバルブ部材１４１６がある。しかし、コネクタチューブ１４０５の継手１４０８が継手１４０９に連結されると、継手１４０８の一部がバルブ部材１４１６を「閉」位置（図２７Ｄに示す）から「開」位置（図２７Ｂに示す）に付勢し、これにより、液体がコネクタチューブ１４０３からシリンジ１４０１内に流れ込むことができ、シリンジ１４０１からの空気がコネクタチューブ１４０５を通過して、容器１４０２への通路のためのコネクタチューブ１４０４に流入することができる。このように、流体移送アセンブリ１４００は、流体移送アセンブリ１４００の外部からの空気が導入されない閉鎖システムである。むしろ、シリンジ１４０１の充填作業中の容器１４０２とシリンジ１４０１との間の空気交換は、コネクタチューブ１４０３、１４０４、１４０５によって処理され、流体移送アセンブリ１４００内の滅菌空気のみが交換される。流体移送アセンブリ１４００の閉鎖システムは、化学療法薬などの、外気による液体の汚染の防止が望まれる場合に液体を移送するのに適している。
【００９８】
図２７Ｃ〜図２７Ｄを参照すると、継手１４０８がスプールバルブ１４１５から取り外されると、バルブ部材１４１６はもはやばね１４１７に押し付けられない。したがって、ばね１４１７は、バルブ部材１４１６を「閉」位置に付勢し（図２７Ｄ）、これにより、コネクタチューブ１４０３からシリンジ１４０１内への液体の流れを防止し、コネクタチューブ１４０４からの空気または液体の通過を阻止する。
【００９９】
図２８Ａ〜図２８Ｂを参照すると、本開示の別の態様による流体移送アセンブリ１５００が示されている。流体移送アセンブリ１５００の多くの態様は、流体移送アセンブリ１４００に関して前述したものと同様であるが、流体移送アセンブリ１５００は、本明細書に記載されるように、シリンジ１５０１と容器１５０２との間に延在する二次チューブ（図２７Ａ〜図２７Ｇのチューブ１４０４など）の使用を必要としない。
【０１００】
図２８Ａ〜図２８Ｂに示すように、流体移送アセンブリ１５００は、容器１５０２およびシリンジ１５０１を有し、容器１５０２およびシリンジ１５０１は、単一のコネクタチューブ１５０３を介して液体結合される。コネクタチューブ１５０３は、通気カップラ１５２２を介して容器１５０２に液体結合され、通気カップラ１５２２は、容器１５０２とシリンジ１５０１との間の液体の移送中に容器１５０２内の空気が通気できるように空気フィルタを内部に有する。バルブハウジング１５０６はシリンジ１５０１に連結され、バルブハウジング１５０６は、内部にフローコントローラ１５１０を有し、低圧コネクタチューブ１５０５に流体接続するための継手を有する。バルブハウジング１５０６は、スプールバルブ１５１５にさらに液体接続され、スプールバルブ１５１５は、バルブハウジング１５０６を通ってシリンジ１５０１内への液体の流れを有効または無効にする。より具体的には、スプールバルブ１５１５は、コネクタチューブ１５０３に液体接続される。シリンジ充填作業中に、コネクタチューブ１５０５の一端はバルブハウジング１５０６に連結され、コネクタチューブ１５０５の第２の端部は、継手１５０８を有し、継手１５０９においてスプールバルブ１５１５に連結される。スプールバルブ１５１５内には、ばね１５１７により「閉」位置に縦方向に付勢されるように構成されたバルブ部材１５１６がある。しかしながら、コネクタチューブ１５０５の継手１５０８が継手１５０９に連結されると、継手１５０８の一部がバルブ部材１５１６を「開」位置に付勢し、それによって液体がコネクタチューブ１５０３からシリンジ１５０１内に流れることができる。バルブ部材１５１６は、中実または中空であってもよい。中空の構成では、バルブ部材１５１６は空気がバルブ１５１５の内側部分を通過できるようにすることができ、コネクタチューブ１５０３を通ってシリンジ１５０１内に流れる液体はその外面の上を通過することができる。
【０１０１】
「開」構成の場合にバルブ部材１５１６によって液体が容器１５０２とシリンジ１５０１との間を通過することが可能になることに加えて、バルブ部材１５１６はまた、空気がシリンジ１５０１からコネクタチューブ１５０５を通って、スプールバルブ１５１５に連結されたプライムチューブ１５２０上に配置された通気フィルタ１５２１から流出することを可能にする。具体的には、容器１５０２からシリンジ１５０１への液体の移送中に、コネクタチューブ１５０５を通してシリンジ１５０１から空気がパージされる。空気フィルタ１５２１は、例えば０．２ミクロンの空気フィルタとすることができ、パージされた空気を大気に排出することを可能にする。継手１５０８がスプールバルブ１５１５から取り外されると、バルブ部材１５１６はもはやばね１５１７に押し付けられない。したがって、ばね１５１７は、バルブ部材１５１６を「閉」位置に付勢し、それにより、コネクタチューブ１５０３からシリンジ１５０１への液体の流れを防止する。「閉」位置では、バルブ部材１５１６は、空気フィルタ１５２１からの空気または液体の通過を阻止することができるが、代わりに、コネクタチューブ１５０５から分離したときに空気通路を開いたままにしてもよい。
【０１０２】
図２９を参照すると、本開示の別の態様によるシリンジ１６００が示されている。シリンジ１６００は、シリンジ１６００の内部空間内に、図２Ａに示す回転ダイヤフラムシリンジ１２aなどの可撓性の回転ダイヤフラムを受け入れるように構成されている。シリンジ１６００は、内部にプランジャ１６０４が配置された基部アダプタ１６０１、およびその遠位端にコネクタ１６０３を有する。シリンジチップ１６０２は、例えばねじ接続によりコネクタ１６０３と取り外し可能に接続するように構成されている。シリンジチップ１６０２は、望ましくは、使い捨ての１回使用の品目である。しかしながら、基部アダプタ１６０１は、複数回使用する品目であり、多くの処置および／または患者の間で使用することができる。したがって、シリンジアセンブリ全体が（現在一般的なように）使い捨てである代わりに、シリンジ１６００は、使用の間にシリンジチップ１６０２のみを交換することができる。さらに、様々なタイプのシリンジチップを、１つのタイプの基部アダプタと共に利用することができる。
【０１０３】
図３０Ａ〜図３０Ｃを参照すると、本開示の別の実施例による流体移送アセンブリ１０が示されている。流体移送アセンブリ１０は、ボトルまたはバッグ（図示せず）などの第２の液体容器から、図２Ａを参照して本明細書で説明されるシリンジ１２aなどの第１の液体容器への液体の移送を容易にするように構成される。他の例では、第１の液体容器は、図２Ｂを参照して本明細書で説明するシリンジ１２bであってもよい。
【０１０４】
引き続き図３０Ａ〜図３０Ｃを参照すると、流体移送アセンブリ１０は、第２の液体容器からシリンジ１２aへなど、２つの液体容器の間の液体の移送を容易にするように構成された充填アダプタ３２を含む。充填アダプタ３２は、シリンジ１２aのシリンジネック２２などのシリンジ１２aに取り外し可能に接続可能である。いくつかの例では、充填アダプタ３２は、一体的に形成されるか、または接着剤、溶接、締まり嵌め、もしくは他の機械的接続手段などによって取り外し不能に取り付けられることなどによって、シリンジ１２aに取り外し不能に接続することができる。充填アダプタ３２は、一体の単一ピース構造を有してもよいし、または取り外し可能または取り外し不能に共に結合される２つ以上の構成要素から形成されてもよい。様々な態様では、充填アダプタ３２は、シリンジ１２aを充填しながら、２mL／s〜２０mL／sの液体を流すことができる。
【０１０５】
図３０Ｃを参照すると、充填アダプタ３２は、シリンジネック２２の開口遠位端２３内に受け入れられるように構成された実質的に円筒形の本体５６を有する。フランジ５７は、遠位端６０において本体５６から半径方向外側に延在する。いくつかの例では、フランジ５７の外径は、充填アダプタ３２がシリンジネック２２と同一平面になるように、シリンジネック２２の外径に実質的に対応することができる。他の例では、フランジ５７の外径は、シリンジネック２２の外径よりも大きくてもよいし、小さくてもよい。長手方向軸５８に沿った本体５６の長手方向の長さは、充填アダプタ３２の近位端６２がシリンジネック２２の近位端において、シリンジ側壁２０がシリンジネック２２から円錐部分３３に移行する前に終端するように、シリンジネック２２の長手方向の長さに対応することができる。いくつかの例では、本体５６の長手方向の長さは、シリンジ側壁２０がシリンジネック２２から円錐部分３３に移行する移行点よりも長くてもよいし、短くてもよい。様々な例では、本体５６の長手方向の長さは、６mm〜１００mmであってもよい。
【０１０６】
充填アダプタ３２は、シリンジネック２２の開口遠位端２３内にぴったり嵌合するような寸法にすることができる。例えば、充填アダプタ３２の外側側壁６６とシリンジネック２２の内側側壁６４との間の締まり嵌めにより、充填アダプタ３２の外側側壁６６がシリンジネック２２の内側側壁６４と係合することができる。充填アダプタ３２は、シリンジネック２２と取り外し可能または取り外し不能に係合することができる。いくつかの例では、充填アダプタ３２およびシリンジネック２２は、クリップ、締結具、接着剤、溶接、または他の機械的接続手段によって、取り外し可能にまたは取り外し不能に互いに接続することができる。いくつかの例では、本体５６の外面は、充填アダプタ３２をシリンジネック２２の開口遠位端２３に挿入するのを容易にするために、１つまたは複数の凹部５９を有することができる。様々な例では、充填アダプタの本体５６の外径は、２．６mm〜２６mmであってもよい。
【０１０７】
引き続き図３０Ｃを参照すると、充填アダプタ３２は、長手方向軸５８に沿って本体５６を貫通して延在する中央ボア６１を有する。中央ボア６１は、第２の液体容器とシリンジ１２aの内部との間の液体連通を可能にするように構成されている。いくつかの例では、中央ボア６１は、その全長にわたって均一な直径を有することができる。他の例では、中央ボア６１の少なくとも一部は、本体５６の遠位端６０から近位端６２への方向に狭くなっていてもよく、または広がっていてもよい。例えば、図３０Ｃに示すように、中央ボア６１の傾斜部分６３は、本体５６の遠位端６０から近位端６２への方向に広がることができる。いくつかの例では、傾斜部分６３の角度は、シリンジ１２aの円錐部分３３の角度に対応することができる。他の例では、傾斜部分６３の角度は、シリンジ１２aの円錐部分３３の角度よりも大きいかまたは小さい角度を有してもよい。様々な例では、傾斜部分６３の角度は、本体５６の長手方向軸に対して１０度〜８０度であってもよい。
【０１０８】
１つまたは複数のスロット６５が本体５６の側壁を通って延在することができる。いくつかの例では、複数のスロット６５が、本体５６の側壁を通って等しいまたは等しくない角度間隔で延在してもよい。スロット６５は、互いに対して同じ軸方向位置に設けられてもよく、あるいはスロット６５のうちの１つまたは複数が、残りのスロット６５に対して軸方向にオフセットされてもよい。いくつかの例では、レッジ６７は、中央ボア６１の内面から半径方向内側に突出していてもよい。レッジ６７は、１つまたは複数のスロット６５の近位または遠位に配置されてもよい。レッジ６７は、中央ボア６１の円周方向に連続していてもよいし、不連続であってもよい。スロット６５および／またはレッジ６７は、中央ボア６１の内側側壁に沿った流体の流れを遮断する。このようにして、スロット６５および／またはレッジ６７が、充填アダプタ３２を通って流れる流体をボア６１の中央部分に向かって、ボア６１の内側側壁から離れるように案内して、本明細書に記載されているように、流体がフローコントローラ６９の上を流れることができる。
【０１０９】
引き続き図３０Ｃを参照すると、充填アダプタ３２は、中央ボア６１内に配置されたフローコントローラ６９を有することができる。フローコントローラ６９は、本体５６の近位端６２に配置されてもよい。いくつかの例では、フローコントローラ６９は、１つまたは複数のスポーク７３（図３０Ｄに示す）によって中央ボア６１の内面に接続される。図３０Ｄに示すように、スポーク７３の各々は、充填アダプタ３２の本体５６に接続された第１の端部７５と、フローコントローラ６９に接続された第２の端部７７と、を有する。充填アダプタ３２の本体５６とフローコントローラ６９との間のギャップ７９は、液体がそこを通ってシリンジ１２aの内部に流れることを可能にするように構成される。
【０１１０】
フローコントローラ６９は、フローコントローラ６９の外縁と傾斜部分６３の遠位端とが位置合わせされるように配置することができる。このようにして、フローコントローラ６９によって偏向された液体は、傾斜部分６３に向かって偏向される。本明細書で説明するように、コアンダ効果の特性により、液体は、充填アダプタ３２の傾斜部分６３の傾斜面に引き付けられ、シリンジ１２aの内側側壁を流れ続ける。
【０１１１】
図３０Ｄを参照して、引き続き図３０Ｃを参照すると、フローコントローラ６９は、フローコントローラ６９上に流れる液体をギャップ７９に向かって半径方向外向きに向けるように構成された湾曲した遠位面８１を有することができる。遠位面８１は、均一または不均一な曲率を有する凸形状を有してもよい。いくつかの例では、フローコントローラ６９は、湾曲した近位面８３を有してもよい。近位面８３は、その中央部分に突起８９を有する凸形状を有していてもよい。突起８９は、近位面８３から近位方向に突出していてもよい。図３１Ａ〜図３１Ｂに示すようないくつかの例では、遠位面８１の中央部分は、フローダイバータ８７を有することができる。フローダイバータ８７は、遠位面８１に対して遠位に延在することができる。フローダイバータ８７は、液体がギャップ７９を通って流れるように、充填アダプタ３２の中央ボア６１を通って流れる液体をフローコントローラ６９の外縁に向けるように構成されてもよい。
【０１１２】
いくつかの例では、シリンジネック２２は、Ｏリング９１などの封止部材を有することができる。Ｏリング９１は、シリンジ１２aのシリンジネック２２に取り外し可能に接続可能なキャップ（図示せず）に封止係合するように構成される。シリンジネック２２の外側部分は、キャップをシリンジネック２２に取り外し可能に保持するためにキャップと相互作用するように構成されたフランジ１５０を有することができる。いくつかの例では、充填アダプタ３２は、キャップの取り外しに伴って充填アダプタ３２がシリンジ１２aから取り外せるように、キャップに取り外し可能にまたは取り外し不能に接続されてもよい。他の例では、充填アダプタ３２は、キャップがシリンジ１２aから取り外されるときに充填アダプタ３２がシリンジ１２aに接続されたままであるように、キャップとは別個に設けられる。
【０１１３】
充填プロセスの間に、シリンジ１２aの上の第２の液体容器（図示せず）からの液体は、充填アダプタ３２に重力供給されるかまたは真空供給される。液体が充填アダプタ３２の中央ボア６１を通って流れる際に、液体はフローコントローラ６９に接触する。フローコントローラ６９の遠位面８１の凸形状により、液体は半径方向外側に導かれてギャップ７９を通って流れる。ベル形状の傾斜部分６３により、液体は、側壁２０を流れ落ちる前に、シリンジ１２aの円錐部分３３に沿って自然に引き付けられる。シリンジ１２aの内面に沿ったこの流れは、液体がシリンジ１２aを充填する際に乱流を減少させるのを助け、シリンジ１２aが充填される際に気泡が形成されるのを低減させることを助ける。同時に、空気がシリンジ内部から移動し、ギャップ７９を通って第２の流体容器に逃げる。シリンジ１２a内の空気／液体交換は、中央ボア６１を通って実質的に同時に起こり、不均一な流れ特性に起因する流れの滞りまたは音を立てる流れがない。
【０１１４】
図３２Ａ〜図３２Ｄを参照すると、キャップ１２２がシリンジ１２aのシリンジネック２２に設けられている。キャップ１２２は、シリンジ１２aの遠位端１８を囲むように構成される。キャップ１２２は、例えば、ねじ接続、スナップ嵌合接続、摩擦嵌合接続、または任意の他の適切な取り外し可能な接続機構を介して、シリンジ１２aのシリンジネック２２に取り外し可能に接続される。いくつかの例では、充填アダプタ３２は、キャップ１２２の取り外しに伴って充填アダプタ３２がシリンジ１２aから取り外せるように、キャップ１２２に取り外し可能にまたは取り外し不能に接続されてもよい。他の例では、充填アダプタ３２は、キャップ１２２がシリンジ１２aから取り外されるときに充填アダプタ３２がシリンジ１２aに接続されたままであるように、キャップ１２２とは別個に設けられる。
【０１１５】
キャップ１２２は、第２の液体供給源からの液体でシリンジ１２aを充填するために、第２の液体容器（図示せず）と液体連通するチューブに接続するように構成されたポート１２４を含む。他の例では、ポート１２４は、液体をシリンジ１２aから患者に送達するために、血管アクセス部位において患者に挿入されたカテーテル、針、または他の液体送達接続（図示せず）に接続されたチューブに接続するように構成されてもよい。
【０１１６】
いくつかの例では、ポート１２４は、キャップ１２２の半径方向側に設けられてもよい。所定のクラック圧力に達するかまたは越えたときにキャップ１２２を通ってシリンジ１２aへの液体の流れを許容するために、高クラック圧力バルブ（図示せず）をキャップ１２２に設けることができ、圧力のヘッド高さがクラック圧力よりも低いときにキャップ１２２を通る流れを防止する。一例では、高クラック圧力バルブは、スリットバルブまたは他の従来のクラック圧力バルブであってもよい。キャップ１２２は、シリンジネック２２の外面２４に係合するために、キャップ１２２の内面の周りに少なくとも１つのガスケットを有することができる。いくつかの例では、Ｏリング９１などのガスケットがシリンジネック２２の外面２４に設けられてもよい。Ｏリング９１は、シリンジネック２２の外面２４とキャップ１２２の内面との間に液密封止を形成するように構成される。図３２Ａ〜図３２Ｂを参照すると、キャップ１２２の遠位面１２６は、実質的に平坦な面として構成されてもよい。
【０１１７】
引き続き図３２Ａ〜図３２Ｂを参照すると、キャップ１２２は、接続機構１４０によりシリンジ１２aに取り外し可能に接続可能である。接続機構１４０は、図３２Ｂに示すように、シリンジ１２aのシリンジネック２２に接続されたキャップ１２２をしっかりと保持し、シリンジ１２aに対する長手方向軸の周りのキャップ１２２の回転によって、キャップ１２２がシリンジ１２aのシリンジネック２２から外れるように構成されている。接続機構１４０は、シリンジ１２a上の１つまたは複数のカム１４４と相互作用する１つまたは複数のタブ１４２をキャップ１２２上に有する。キャップ１２２がシリンジ１２aに接続されると、シリンジ１２aに対するキャップ１２２の回転により、１つまたは複数のタブ１４２が１つまたは複数のカム１４４と相互作用して、キャップ１２２をシリンジ１２aから取り外すことができるようにタブ１４２を半径方向外側に撓ませる。
【０１１８】
図３２Ｃを参照すると、タブ１４２は、キャップ１２２の外周の周りに延在するスカート１４６から近位方向に突出している。タブ１４２は、スカート１４６の周りで等しいかまたは等しくない角度間隔で互いに離間していてもよい。各タブ１４２は、スカート１４６に接続された第１の端部１４２aと、スカート１４６から近位に突出している第２の端部１４２bと、を有する。各タブ１４２の第２の端部１４２bは、タブ１４２がカム１４４に係合するときに第１の端部１４２aに対して撓むことができる。各タブ１４２の第２の端部１４２bは、シリンジネック２２の外面２４から半径方向外側に延在するフランジ１５０に係合するように構成された凹部１４８を有する。フランジ１５０は、シリンジネック２２の一部または全周の周りに延在することができる。フランジ１５０と係合すると、凹部１４８は、キャップ１２２がシリンジ１２aから外れることを防止する。各タブ１４２は、キャップ１２２がシリンジネック２２に接続されるときにタブ１４２が半径方向外側に撓むように、フランジ１５０の遠位面と係合するように構成された傾斜した縁部１５２を有してもよい。傾斜した縁部１５２がフランジ１５０をクリアした後に、各タブ１４２が後方に撓んで、凹部１４８をフランジ１５０と係合させることにより、キャップ１２２をシリンジ１２aのシリンジネック２２に接続する。
【０１１９】
図３２Ｄを参照すると、カム１４４は、フランジ１５０の近位に配置される。いくつかの例では、複数のカム１４４が、フランジ１５０の下のシリンジネック２２の外周の周りに互いに離間して配置される。カム１４４は、等しいかまたは等しくない角度間隔で互いに離間していてもよい。例えば、図３２Ｄは、互いに９０°離間した４つのカム１４４を備えたシリンジ１２aを示す。このようにして、キャップ１２２が９０度未満回転すると、タブ１４２がカム１４４に係合してキャップ１２２がシリンジ１２aから外れる。各カム１４４は、縁部１５４に集まる一対の傾斜面１４４a、１４４bを有する。いくつかの例では、縁部１５４は、フランジ１５０の外端で終端してもよい。傾斜面１４４a、１４４bは、キャップ１２２がシリンジ１２aから取り外されるときに、タブ１４２の第２の端部１４２bが接触するための係合面を画定する。
【０１２０】
キャップ１２２をシリンジ１２aから取り外すために、キャップ１２２は、シリンジの長手方向軸に対してその長手方向軸の周りに第１の方向（例えば、時計回り）または第２の方向（例えば、反時計回り）に回転することができる。キャップ１２２のこのような回転運動中に、各タブ１４２の第２の端部１４２bは、各カム１４４の傾斜面１４４a、１４４bの一方と係合する。傾斜面１４４a、１４４bの傾斜した構成により、キャップ１２２の回転が継続すると、タブ１４２の第２の端部１４２bが第１の端部１４２a（およびフランジ１５０）に対して撓み、それによってタブ１４２がフランジ１５０を通過することができる。このようにして、キャップ１２２は、シリンジ１２aに対するキャップ１２２の単純な回転によって、シリンジネック２２から分離することができる。
【０１２１】
図３３Ａ〜図３３Ｃを参照すると、本開示の別の実施例による流体移送アセンブリ１０が示されている。図３３Ａ〜図３３Ｃに示す流体移送アセンブリ１０の構成要素は、図３２Ａ〜図３２Ｄを参照して本明細書で説明した流体移送アセンブリ１０の構成要素と実質的に同様である。図３２Ａ〜図３２Ｄに概略的に示す流体移送アセンブリ１０に関する前述の説明は、図３３Ａ〜図３３Ｃに示す例に適用可能であるので、２つの流体移送アセンブリ１０の間の相対的な差異だけを以下に説明する。
【０１２２】
キャップ１２２は、接続機構１４０によりシリンジ１２aに取り外し可能に接続可能である。いくつかの例では、充填アダプタ３２は、キャップ１２２の取り外しに伴って充填アダプタ３２がシリンジ１２aから取り外せるように、キャップ１２２に取り外し可能にまたは取り外し不能に接続されてもよい。他の例では、充填アダプタ３２は、キャップ１２２がシリンジ１２aから取り外されるときに充填アダプタ３２がシリンジ１２aに接続されたままであるように、キャップ１２２とは別個に設けられる。接続機構１４０は、シリンジ１２aのシリンジネック２２に接続されたキャップ１２２をしっかりと保持し、シリンジ１２aに対してキャップ１２２を軸方向に移動させてキャップ１２２をシリンジ１２aから分離することができる取り外し位置まで、キャップ１２２をシリンジ１２aに対してその長手方向軸の周りに回転することにより、キャップ１２２をシリンジ１２aのシリンジネック２２から取り外すことを可能にするように構成される。接続機構１４０は、シリンジ１２a上のフランジ１５０と相互作用する１つまたは複数のタブ１４２をキャップ１２２上に有する。
【０１２３】
図３３Ｃを参照すると、キャップ１２２の１つまたは複数のタブ１４２は、キャップ１２２の外周の周りに延在するスカート１４６から近位方向に突出している。タブ１４２は、スカート１４６の周りで等しいかまたは等しくない角度間隔で互いに離間していてもよい。各タブ１４２は、スカート１４６に接続された第１の端部１４２aと、スカート１４６から近位に突出している第２の端部１４２bと、を有する。望ましくは、各タブ１４２の第２の端部１４２bは、第１の端部１４２aに対して撓むことができる。各タブ１４２の第２の端部１４２bは、シリンジネック２２の外面２４から半径方向外側に延在するフランジ１５０に係合するように構成された凹部１４８を有する（図３３Ｂに示す）。
【０１２４】
図３３Ｂを参照すると、フランジ１５０は、シリンジネック２２の外周の一部の周りに延在することができる。いくつかの例では、フランジ１５０は、ギャップ１６０によって分離された第１の端部および第２の端部を有する連続部材として形成されてもよい。他の例では、フランジ１５０は、２つ以上のギャップ１６０によって互いに分離された複数のセグメントから形成されてもよい。例えば、フランジ１５０は、２つのギャップ１６０によって分離された２つのフランジセグメント１５０a、１５０bを有してもよい。フランジセグメント１５０a、１５０bは等しいかまたは等しくない長さを有してもよく、等しいかまたは等しくない幅を有するギャップ１６０によって分離されてもよい。各ギャップ１６０は、本明細書で説明するように、シリンジネック２２からキャップ１２２を取り外すためにタブ１４２を位置合わせすることができる取り外し位置を画定する。望ましくは、タブ１４２の数はギャップ１６０の数に対応する。フランジ１５０と係合すると、凹部１４８は、キャップ１２２がシリンジ１２aから外れることを防止する。各タブ１４２は、キャップ１２２がシリンジネック２２に接続されるときにタブ１４２が半径方向外側に撓むように、フランジ１５０の遠位面と係合するように構成された傾斜した縁部１５２を有してもよい。傾斜した縁部１５２がフランジ１５０をクリアした後に、各タブ１４２が後方に撓んで、凹部１４８をフランジ１５０と係合させることにより、キャップ１２２をシリンジ１２aのシリンジネック２２に接続する。
【０１２５】
キャップ１２２をシリンジ１２aから取り外すために、キャップ１２２は、シリンジの長手方向軸に対してその長手方向軸の周りに第１の方向（例えば、時計回り）または第２の方向（例えば、反時計回り）に回転することができる。キャップ１２２のこのような回転運動の間、タブ１４２をフランジセグメント１５０a、１５０bの間のギャップ１６０と位置合わせすることによって、タブ１４２を取り外し位置まで回転させることができる。キャップ１２２が取り外し位置に回転すると、ギャップ１６０は、タブ１４２がフランジセグメント１５０a、１５０bをクリアするためのクリアランス空間を形成する。キャップ１２２は、シリンジ１２aに対するキャップ１２２の軸方向の移動により、シリンジネック２２から分離することができる。
【０１２６】
図３４Ａ〜図３４Ｂを参照すると、本開示の別の実施例による充填アダプタ３２が示されている。充填アダプタ３２は、ボトルまたはバッグ（図示せず）などの第２の液体容器から、シリンジ１２aなどの第１の液体容器への液体の移動を容易にするように構成される。図３４に示す充填アダプタ３２の構成要素は、特に明記しない限り、図３０Ａ〜図３１Ｂを参照して本明細書で説明した充填アダプタ３２の構成要素と実質的に同様である。図３０Ａ〜図３１Ｂに概略的に示す充填アダプタ３２に関する前述の議論は、図３４に示す例に適用可能であるので、２つの充填アダプタ３２の間の相対的な差異だけを本明細書で説明する。
【０１２７】
充填アダプタ３２は、充填アダプタ３２の外側側壁がシリンジネック２２の内側側壁と係合することなどにより、シリンジネック２２の開放遠位端内にぴったりと嵌合するような寸法になっている。充填アダプタ３２の本体５６は、長手方向軸線に沿って延在する中央ボア６１を有する。中央ボア６１は、第２の液体容器とシリンジ１２aの内部との間の液体連通を可能にするように構成されている。ボア６１は、本体５６の遠位端６０から近位端６２への方向に広がる傾斜部分６３を有する。封止リップ９９は、中央ボア６１の内面から半径方向内向きに突出してもよい。封止リップ９９は、傾斜部分６３の遠位に配置されてもよい。封止リップ９９は、中央ボア６１の円周方向に連続していることが望ましい。いくつかの例では、封止リップ９９は、本体５６と同じまたは異なる材料から作られてもよい。例えば、封止リップ９９は可撓性エラストマー材料から作製されてもよく、本体５６は硬質プラスチック材料から作製されてもよい。
【０１２８】
充填アダプタ３２は、中央ボア６１内に配置されたフローコントローラ６９を有する。フローコントローラ６９は、近位端６２に配置され、１つまたは複数の弾力的な弾性要素１０１によって中央ボア６１の内面に接続される。弾力的な弾性要素１０１の各々は、充填アダプタ３２の本体５６に接続された第１の端部１０３と、フローコントローラ６９に接続された第２の端部１０５と、を有する。フローコントローラ６９は、遠位端６０から近位端６２への方向の液体の流れによって、長手方向軸の方向に軸方向に移動可能である。弾力的な弾性要素１０１は、液体の流れが存在しないときに、封止リップ９９に対してフローコントローラ６９を付勢する。このようにして、フローコントローラ６９および封止リップ９９は、液体がフローコントローラ６９と封止リップ９９との間に滴下するのを防止するための封止を画定する。したがって、充填アダプタ３２内に残っている液体をこぼさずに、充填アダプタ３２をシリンジ１２aから取り外すことができる。いくつかの例では、キャップ１２２をシリンジ１２aから取り外すことによって充填アダプタ３２も取り外すことができるように、充填アダプタ３２をキャップ１２２に取り外し可能または取り外し不能に接続することができる。
【０１２９】
シリンジ１２aの端壁３０が液体インジェクタ（図示せず）の駆動部材によって近位方向に引き込まれるような真空充填処置の間に、シリンジ１２aの内部容積２８内に生じる真空は、フローコントローラ６９を弾力的な弾性要素１０１の復元力に抗して近位方向に引っ張る。他の例では、充填アダプタ３２が第２の容器に接続されると、第２の容器内の液体のヘッドの高さによる液体圧力は、弾力的な弾性要素１０１の復元力に抗してフローコントローラ６９を図３４Ｂの矢印Ａの方向に近位方向に押す。フローコントローラ６９の近位方向への移動は、それを封止リップ９９から離し、それによって、図３４Ｂに示すように、封止リップ９９の内周とフローコントローラ６９の外周との間のギャップ７９を開く。フローコントローラ６９は、フローコントローラ６９上に流れる液体をギャップ７９に向かって半径方向外向きに向けるように構成された湾曲した遠位面を有することができる。このようにして、液体は、ギャップ７９を通ってシリンジ１２aの内部容積２８に流入することができる。本明細書で説明するように、コアンダ効果の特性により、液体は、充填アダプタ３２の傾斜部分６３の傾斜面に引き付けられ、シリンジ１２aの内側側壁を流れ続ける。シリンジ１２aの内面に沿ったこの流れは、液体がシリンジ１２aを充填する際に乱流を減少させるのを助け、シリンジ１２aが充填される際に気泡が形成されるのを低減させることを助ける。
【０１３０】
図３４Ｂの矢印Ａの方向のフローコントローラ６９の近位方向の動きは、遠位方向に作用する弾力的な弾性要素１０１の復元力に抗した、第２の容器内の液体のヘッド圧力、あるいはシリンジ１２aの端壁３０（または図２Ｂのシリンジ１２bのプランジャ３１）を近位方向に引っ張る液体インジェクタの駆動部材によって生じる真空の働きであってもよい。このようにして、コアンダ効果の特性による液体の流れを最適化するために、ギャップ７９の大きさは、ギャップ７９を広げたり狭めたりするように制御することができる。
【０１３１】
医用液体送達システムで使用するためのシリンジ、アダプタ、ならびにシステムおよび接続方法のいくつかの実施例が添付の図面に示され、上に詳細に記載されているが、他の実施例は、本開示の範囲および趣旨から逸脱することなく、当業者に明らかであり、当業者によって容易になされるであろう。例えば、本開示は、可能な限り、任意の実施例の１つまたは複数の特徴を任意の他の実施例の１つまたは複数の特徴と組み合わせることができることを意図していることを理解されたい。したがって、上記の説明は、限定的ではなく例示的なものであることが意図されている。
【符号の説明】
【０１３２】
１０  流体移送アセンブリ
１２  第１の液体容器
１２a  回転ダイヤフラムシリンジ
１２b  シリンジ
１４  シリンジバレル
１６  近位端
１８  遠位端
２０  側壁
２２  シリンジネック
２３  開口遠位端
２４  外面
２６  内面
２８  内部容積
３０  端壁
３１  プランジャ
３２  充填アダプタ
３３  シリンジ保持部材
３４  ラグ
３５  溝
３６  第２の液体容器
３８  バレル
４０  近位端
４２  遠位端
４４  側壁
４５  長手方向軸
４６  シリンジネック
４８  外面
５０  内面
５２  内部容積
５４  隔壁
５６  本体
５７  フランジ
５８  長手方向軸
５９  凹部
６０  遠位端
６１  中央ボア
６２  近位端
６３  傾斜部分
６４  内側側壁
６５  スロット
６６  外側側壁
６７  レッジ
６８  穿刺装置
６９  フローコントローラ
７０  本体
７１  長手方向軸
７２  穿刺点
７３  スポーク
７４  遠位端
７５  第１の端部
７６  フレア状基部
７７  第２の端部
７８  近位端
７９  ギャップ
８０  第１の導管
８１  遠位面
８２  第２の環状導管
８３  近位面
８４  バーブ
８５  プラグ
８６  内側部材
８７  フローダイバータ
８８  液体チャネル
８９  突起
９０  外側環状スカート
９１  Ｏリング
９２  環状空間
９４  テーパ付き雌ねじ
９６  内面
９８  外面
９９  封止リップ
１００  足部
１０１  弾性要素
１０２  凹部
１０３  第１の端部
１０４  封止
１０５  第２の端部
１０８  ロック機構
１１０  マウント
１１２  第１の端部
１１４  マウント
１１６  第２の端部
１１８  中間部分
１２０  可撓性シュラウド
１２２  キャップ
１２４  ポート
１２６  遠位面
１３０a  接続部材
１３２  中央部分
１３４  駆動部材係合部分
１３６  リブ
１４０  接続機構
１４２  タブ
１４２a  第１の端部
１４２b  第２の端部
１４４  カム
１４４a  傾斜面
１４４b  傾斜面
１４６  スカート
１４８  凹部
１５０  フランジ
１５０a  フランジセグメント
１５０b  フランジセグメント
１５２  縁部
１５４  縁部
１６０  ギャップ
２００  流体移送アセンブリ
２０１  液体容器
２０２  シリンジ
２０４  スパイクアダプタ
２０６  通気口
２０８  充填チューブ
２１０  チューブクランプ
２１２  コネクタキャップ
２１４  フローティングボール
２１６  バルブハウジング
２１８  継手
２２０  低圧コネクタチューブ
２２１  継手
２２２  プライムストロー
２２４  フローコントローラ
２２５  リブ付きコネクタ
２２６  開放端部
２５０  円錐遠位端
２５２  管状側壁
３００  充填アダプタ
３０２  シリンジ
３０４  スパイク
３０５  液体開口
３０６  空気交換導管
３０８  フローコントローラ
３０９  リブ付きコネクタ
３１０  ベル形フレア
４００  流体移送アセンブリ
４０１  デュアルシリンジ
４０２  デュアルシリンジ
４０３  スパイクアダプタ
４０４  スパイクアダプタ
４０５  充填チューブ
４０６  充填チューブ
４０７  チューブクランプ
４０８  チューブクランプ
４０９  コネクタキャップ
４１０  コネクタキャップ
４１１  バルブハウジング
４１２  バルブハウジング
４１３  Ｔコネクタ
４１４  低圧コネクタチューブ
４１５  プライムストロー
４１６  コネクタチューブ
４１７  継手
４１９  継手
５０１  デュアルシリンジ
５０２  デュアルシリンジ
５０３  充填チューブ
５０４  充填チューブ
５０５  スパイクアダプタ
５０６  スパイクアダプタ
５０８  チェックバルブ継手
５０９  チェックバルブ継手
５１０  Ｙ字型コネクタチューブ
５１１  患者側チューブ
６００  流体移送アセンブリ
６０１  シリンジ
６０２  低圧コネクタチューブ
６０３  バルブハウジング
６０４  コネクタキャップ
６０５  スパイクアダプタ
６０６  継手
６０７  液体導管
６０８  空気導管
６０９  フローティングボール
６１０  導管
６１１  リブ付きコネクタ
６１２  フローコントローラ
６１３  フィルタ
６１５  通路
６１６  フレア部分
６２０  通路
６２１  流路
７００  流体移送アセンブリ
７０１  シリンジ
７０２  液体容器
７０３  スパイクアダプタ
７０４  コネクタチューブ
７０５  コネクタチューブ
７０６  チューブクランプ
７０７  コネクタキャップ
７０８  バルブハウジング
７０９  低圧コネクタチューブ
７１０  継手
７１２  液体開口
７１３  導管
７１５  フローティングボール
７１６  フローコントローラ
７１７  フィルタ
７１９  表面
８００  流体移送アセンブリ
８０１  第１の容器
８０２  第２の容器
８０３  第１のシリンジ
８０４  第２のシリンジ
８０５  低圧コネクタチューブ
８０６  コネクタチューブ
９００  流体移送アセンブリ
９０１  第１の容器
９０２  第２の容器
９０３  第１のシリンジ
９０４  第２のシリンジ
９０５  コネクタチューブ
９０６  コネクタチューブ
９１０  低圧コネクタチューブ
１０００  流体移送アセンブリ
１００２  バルブハウジング
１００４  フローティングボール
１００５  表面
１００６  フローコントローラ
１００７  フレア端部
１００８  シリンジ
１００９  コネクタチューブ
１０１０  リブ付きコネクタ
１０１１  リブ
１０１２  コネクタキャップ
１０１３  コネクタチューブ
１０１５  リブ
１０２０  リブ付きコネクタ
１０２１  リブ
１２００  流体移送アセンブリ
１２０１  シリンジ
１２０２  スパイクアダプタ
１２０３  通気口
１２０４  充填チューブ
１２０５  バルブハウジング
１２０６  コネクタキャップ
１２０７  プライムストロー
１２０８  継手
１２１０  フローティングボール
１２１２  フローコントローラ
１３００  流体移送アセンブリ
１３０１  シリンジ
１３０２  容器
１３０３  スパイクアダプタ
１３０６  通気導管
１３０７  通気キャップ
１３０８  フローコントローラ
１３１０  スパイク
１３１２  フローコントローラ
１３１５  内側開口
１３１６  ベル形構成要素
１３２０  フローコントローラ
１３２１  開口
１３２２  開口
１３２８  フローコントローラ
１３３０  インサート
１４００  流体移送アセンブリ
１４０１  シリンジ
１４０２  容器
１４０３  コネクタチューブ
１４０４  コネクタチューブ
１４０５  低圧コネクタチューブ
１４０６  バルブハウジング
１４０８  継手
１４０９  継手
１４１０  フローコントローラ
１４１２  通気キャップ
１４１５  スプールバルブ
１４１６  バルブ部材
１４１７  ばね
１５００  流体移送アセンブリ
１５０１  シリンジ
１５０２  容器
１５０３  コネクタチューブ
１５０５  低圧コネクタチューブ
１５０６  バルブハウジング
１５０８  継手
１５０９  継手
１５１０  フローコントローラ
１５１５  スプールバルブ
１５１６  バルブ部材
１５１７  ばね
１５２０  プライムチューブ
１５２１  空気フィルタ
１５２２  通気カップラ
１６００  シリンジ
１６０１  基部アダプタ
１６０２  シリンジチップ
１６０３  コネクタ
１６０４  プランジャ
【図１】
2018535024.tif 000003
【図２Ａ】
2018535024.tif 000004
【図２Ｂ】
2018535024.tif 000005
【図３Ａ】
2018535024.tif 000006
【図３Ｂ】
2018535024.tif 000007
【図４】
2018535024.tif 000008
【図５】
2018535024.tif 000009
【図６】
2018535024.tif 000010
【図７】
2018535024.tif 000011
【図８】
2018535024.tif 000012
【図９】
2018535024.tif 000013
【図１０】
2018535024.tif 000014
【図１１】
2018535024.tif 000015
【図１２】
2018535024.tif 000016
【図１３】
2018535024.tif 000017
【図１４】
2018535024.tif 000018
【図１５Ａ】
2018535024.tif 000019
【図１５Ｂ】
2018535024.tif 000020
【図１６】
2018535024.tif 000021
【図１７Ａ】
2018535024.tif 000022
【図１７Ｂ】
2018535024.tif 000023
【図１８Ａ】
2018535024.tif 000024
【図１８Ｂ】
2018535024.tif 000025
【図１８Ｃ】
2018535024.tif 000026
【図１８Ｄ】
2018535024.tif 000027
【図１８Ｅ】
2018535024.tif 000028
【図１９Ａ】
2018535024.tif 000029
【図１９Ｂ】
2018535024.tif 000030
【図２０】
2018535024.tif 000031
【図２１Ａ】
2018535024.tif 000032
【図２１Ｂ】
2018535024.tif 000033
【図２１Ｃ】
2018535024.tif 000034
【図２１Ｄ】
2018535024.tif 000035
【図２１Ｅ】
2018535024.tif 000036
【図２１Ｆ】
2018535024.tif 000037
【図２２Ａ】
2018535024.tif 000038
【図２２Ｂ】
2018535024.tif 000039
【図２２Ｃ】
2018535024.tif 000040
【図２２Ｄ】
2018535024.tif 000041
【図２３Ａ】
2018535024.tif 000042
【図２３Ｂ】
2018535024.tif 000043
【図２３Ｃ】
2018535024.tif 000044
【図２３Ｄ】
2018535024.tif 000045
【図２４Ａ】
2018535024.tif 000046
【図２４Ｂ】
2018535024.tif 000047
【図２５Ａ】
2018535024.tif 000048
【図２５Ｂ】
2018535024.tif 000049
【図２６Ａ】
2018535024.tif 000050
【図２６Ｂ】
2018535024.tif 000051
【図２７Ａ】
2018535024.tif 000052
【図２７Ｂ】
2018535024.tif 000053
【図２７Ｃ】
2018535024.tif 000054
【図２７Ｄ】
2018535024.tif 000055
【図２７Ｅ】
2018535024.tif 000056
【図２７Ｆ】
2018535024.tif 000057
【図２７Ｇ】
2018535024.tif 000058
【図２８Ａ】
2018535024.tif 000059
【図２８Ｂ】
2018535024.tif 000060
【図２９】
2018535024.tif 000061
【図３０Ａ】
2018535024.tif 000062
【図３０Ｂ】
2018535024.tif 000063
【図３０Ｃ】
2018535024.tif 000064
【図３０Ｄ】
2018535024.tif 000065
【図３１Ａ】
2018535024.tif 000066
【図３１Ｂ】
2018535024.tif 000067
【図３２Ａ】
2018535024.tif 000068
【図３２Ｂ】
2018535024.tif 000069
【図３２Ｃ】
2018535024.tif 000070
【図３２Ｄ】
2018535024.tif 000071
【図３３Ａ】
2018535024.tif 000072
【図３３Ｂ】
2018535024.tif 000073
【図３３Ｃ】
2018535024.tif 000074
【図３４Ａ】
2018535024.tif 000075
【図３４Ｂ】
2018535024.tif 000076
【国際調査報告】
2018535024.tif 000077
2018535024.tif 000078
2018535024.tif 000079
2018535024.tif 000080